(57)【要約】  ネットワークノード（１１５）内の方法は、第１のセルにおいて構成される第１のタイプ（５０５）の不連続受信（ＤＲＸ）サイクル内のページング送信ウィンドウ（ＰＴＷ）（５１５）の長さを取得すること（７０４）と、上記第１のセルにおけるリファレンス時間を基準として上記ＰＴＷ内の残りの第２のタイプ（５２５）のＤＲＸサイクルの数、及び、上記リファレンス時間からスタートする上記ＰＴＷ内の残りの時間量、のうちの少なくとも一方を取得すること（７０８）と、を含む。上記方法は、上記第１のセルにおける上記リファレンス時間を基準として上記ＰＴＷ内の残りの上記第２のタイプのＤＲＸサイクルの上記数、及び、上記リファレンス時間からスタートする上記ＰＴＷ内の残りの上記時間量、のうちの取得される上記少なくとも一方に基づいて、上記第１のセルにおいてページングメッセージを送信することができるかを判定すること（７１２）、を含む。【選択図】図４
2019507975.tif 000002
【特許請求の範囲】
【請求項１】
ネットワークノード（１１５）における方法であって、
第１のセルにおいて構成される第１のタイプ（５０５）の不連続受信サイクル内のページング送信ウィンドウ（５１５）の長さを取得すること（７０４）と、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得すること（７０８）と、前記第２のタイプの不連続受信サイクルは前記第１のタイプの前記不連続受信サイクルよりも短いことと、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージを送信することができるかを判定すること（７１２）と、
を含む方法。
【請求項２】
前記第１のタイプの不連続受信は、拡張された不連続受信であり、
前記第２のタイプの不連続受信は、レガシーの不連続受信である、
請求項１の方法。
【請求項３】
前記判定の結果を少なくとも１つの他のノードへ指し示すこと、
を含む、請求項１の方法。
【請求項４】
前記ページング送信ウィンドウ内の残りの前記第２のタイプの不連続受信サイクルの前記数が閾値以上であること、及び、
前記リファレンス時間からスタートする前記ページング送信ウィンドウ内の残りの前記時間量が時間閾値以上であること、
のうちの少なくとも一方を判定することに応じて、前記第１のセルにおいて前記ページングメッセージを送信すること、
を含む、請求項１の方法。
【請求項５】
送信される前記ページングメッセージの１つ以上の冗長的なコピーを送信すること、
を含む、請求項４の方法。
【請求項６】
前記ページング送信ウィンドウ内の残りの前記第２のタイプの不連続受信サイクルの前記数が閾値未満であるとの判定に応じて、
前記ページング送信ウィンドウにおいて前記ページングメッセージを送信しないことと、
後続のページング送信ウィンドウまで前記ページングメッセージの送信を延期することと、
前記ページング送信ウィンドウにおいて、トランスポートフォーマット閾値よりもロバストなトランスポートフォーマットで前記ページングメッセージを送信することと、
前記ページング送信ウィンドウにおいて、送信電力閾値を上回る送信電力で前記ページングメッセージを送信することと、
のうちの１つを実行すること、を含む、請求項１の方法。
【請求項７】
前記ページング送信ウィンドウの外側で少なくとも１つのページングメッセージを送信すること、を含む、請求項１の方法。
【請求項８】
前記第１のセルにおいて前記ページングメッセージを送信することができないという判定に応じて、
前記ページング送信ウィンドウ、
前記第１のタイプの前記不連続受信サイクル、及び、
前記第２のタイプの前記不連続受信サイクル、
のうちの１つ以上を適応させること、を含む、請求項１の方法。
【請求項９】
前記適応の結果としての前記ページングメッセージについての構成を少なくとも１つの他のノードへ指し示すこと、
を含む、請求項８の方法。
【請求項１０】
ワイヤレスデバイス（１１０）における方法であって、
第１のセルにおいて構成される第１のタイプ（５０５）の不連続受信サイクル内のページング送信ウィンドウ（５１５）の長さを取得すること（８０４）と、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得すること（８０８）と、前記第２のタイプの不連続受信サイクルは前記第１のタイプの前記不連続受信サイクルよりも短いことと、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージが受信されるものと予期されるかを判定すること（８１２）と、
を含む方法。
【請求項１１】
前記第１のタイプの不連続受信は、拡張された不連続受信であり、
前記第２のタイプの不連続受信は、レガシーの不連続受信である、
請求項１０の方法。
【請求項１２】
前記ページング送信ウィンドウの外側で少なくとも１つのページングメッセージを受信すること、
を含む、請求項１０の方法。
【請求項１３】
前記第１のセルにおいて前記ページングメッセージが受信されるものと予期されるという判定に応じて、１つ以上の受信機特性を調整して前記ページングメッセージの受信を促進すること、
を含む、請求項１０の方法。
【請求項１４】
前記ページング送信ウィンドウの期間中に受信されるものと予期される冗長的なページングメッセージの数を判定すること、
を含む、請求項１３の方法。
【請求項１５】
前記ページングメッセージを受信することと、
受信される前記ページングメッセージを１つ以上の後続して受信される冗長的なページングメッセージとの合成のために記憶することと、
を含む、請求項１３の方法。
【請求項１６】
前記ページング送信ウィンドウ内の残りの前記第２のタイプの不連続受信サイクルの前記数が閾値以上である場合、又は、前記リファレンス時間からスタートする前記ページング送信ウィンドウ内の残りの前記時間量が時間閾値以上である場合に、前記第１のセルにおいて前記ページングメッセージが受信されるものと予期されると判定すること、
を含む、請求項１０の方法。
【請求項１７】
前記ワイヤレスデバイスは、前記ページングメッセージと、前記ページング送信ウィンドウの終了よりも予め定義される時間ピリオド前、及び前記ページング送信ウィンドウの前記終了よりも前記第２のタイプの予め定義される不連続受信サイクル数前、のうちの少なくとも一方よりも前に送信される場合に、前記ページングメッセージの１つ以上の冗長的な送信とを受信することを要する、請求項１６の方法。
【請求項１８】
前記ページングウィンドウ内の残りの前記第２のタイプの不連続受信サイクルの前記数が閾値未満である場合に、ページングメッセージが受信されるものと予期されないと判定すること、
を含む、請求項１０の方法。
【請求項１９】
前記ページングウィンドウ内の残りの前記第２のタイプの不連続受信サイクルの前記数が閾値未満である場合に、トランスポートフォーマット閾値よりもロバストなトランスポートフォーマットを用いてページングメッセージが受信されるものと予期されると判定すること、
を含む、請求項１０の方法。
【請求項２０】
処理回路（１４２０）を備えるネットワークノード（１１５）であって、
前記処理回路は、
第１のセルにおいて構成される第１のタイプ（５０５）の不連続受信サイクル内のページング送信ウィンドウ（５１５）の長さを取得（７０４）し、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得（７０８）し、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージを送信することができるかを判定する（７１２）、
ように構成され、前記第２のタイプの不連続受信サイクルは前記第１のタイプの前記不連続受信サイクルよりも短い、ネットワークノード。
【請求項２１】
前記第１のタイプの不連続受信は、拡張された不連続受信であり、
前記第２のタイプの不連続受信は、レガシーの不連続受信である、
請求項２０のネットワークノード。
【請求項２２】
前記処理回路は、
前記判定の結果を少なくとも１つの他のノードへ指し示す、
ように構成される、請求項２０のネットワークノード。
【請求項２３】
前記処理回路は、
前記ページング送信ウィンドウ内の残りの前記第２のタイプの不連続受信サイクルの前記数が閾値以上であること、及び、
前記リファレンス時間からスタートする前記ページング送信ウィンドウ内の残りの前記時間量が時間閾値以上であること、
のうちの少なくとも一方を判定することに応じて、前記第１のセルにおいて前記ページングメッセージを送信する、
ように構成される、請求項２０のネットワークノード。
【請求項２４】
前記処理回路は、
送信される前記ページングメッセージの１つ以上の冗長的なコピーを送信する、
ように構成される、請求項２３のネットワークノード。
【請求項２５】
前記処理回路は、
前記ページング送信ウィンドウ内の残りの前記第２のタイプの不連続受信サイクルの前記数が閾値未満であるとの判定に応じて、
前記ページング送信ウィンドウにおいて前記ページングメッセージを送信しないことと、
後続のページング送信ウィンドウまで前記ページングメッセージの送信を延期することと、
前記ページング送信ウィンドウにおいて、トランスポートフォーマット閾値よりもロバストなトランスポートフォーマットで前記ページングメッセージを送信することと、
前記ページング送信ウィンドウにおいて、送信電力閾値を上回る送信電力で前記ページングメッセージを送信することと、
のうちの１つを実行する、ように構成される、請求項２０のネットワークノード。
【請求項２６】
前記処理回路は、
前記ページング送信ウィンドウの外側で少なくとも１つのページングメッセージを送信する、
ように構成される、請求項２０のネットワークノード。
【請求項２７】
前記処理回路は、
前記第１のセルにおいて前記ページングメッセージを送信することができないという判定に応じて、
前記ページング送信ウィンドウ、
前記第１のタイプの前記不連続受信サイクル、及び、
前記第２のタイプの前記不連続受信サイクル、
のうちの１つ以上を適応させる、
ように構成される、請求項２０のネットワークノード。
【請求項２８】
前記処理回路は、
前記適応の結果としての前記ページングメッセージについての構成を少なくとも１つの他のノードへ指し示す、
ように構成される、請求項２７のネットワークノード。
【請求項２９】
処理回路（９２０）を備えるワイヤレスデバイス（１１０）であって、
前記処理回路は、
第１のセルにおいて構成される第１のタイプ（５０５）の不連続受信サイクル内のページング送信ウィンドウ（５１５）の長さを取得（８０４）し、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得（８０８）し、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージが受信されるものと予期されるかを判定（８１２）する、
ように構成され、前記第２のタイプの不連続受信サイクルは前記第１のタイプの前記不連続受信サイクルよりも短い、
ワイヤレスデバイス。
【請求項３０】
前記第１のタイプの不連続受信は、拡張された不連続受信であり、
前記第２のタイプの不連続受信は、レガシーの不連続受信である、
請求項２９のワイヤレスデバイス。
【請求項３１】
前記処理回路は、
前記ページング送信ウィンドウの外側で少なくとも１つのページングメッセージを受信する、
ように構成される、請求項２９のワイヤレスデバイス。
【請求項３２】
前記処理回路は、
前記第１のセルにおいて前記ページングメッセージが受信されるものと予期されるという判定に応じて、１つ以上の受信機特性を調整して前記ページングメッセージの受信を促進する、
ように構成される、請求項２９のワイヤレスデバイス。
【請求項３３】
前記処理回路は、
前記ページング送信ウィンドウの期間中に受信されるものと予期される冗長的なページングメッセージの数を判定する、
ように構成される、請求項３２のワイヤレスデバイス。
【請求項３４】
前記処理回路は、
前記ページングメッセージを受信し、
受信される前記ページングメッセージを１つ以上の後続して受信される冗長的なページングメッセージとの合成のために記憶する、
ように構成される、請求項３２のワイヤレスデバイス。
【請求項３５】
前記処理回路は、
前記ページング送信ウィンドウ内の残りの前記第２のタイプの不連続受信サイクルの前記数が閾値以上である場合、又は、前記リファレンス時間からスタートする前記ページング送信ウィンドウ内の残りの前記時間量が時間閾値以上である場合に、前記第１のセルにおいて前記ページングメッセージが受信されるものと予期されると判定する、
ように構成される、請求項２９のワイヤレスデバイス。
【請求項３６】
前記ワイヤレスデバイスは、前記ページングメッセージと、前記ページング送信ウィンドウの終了よりも予め定義される時間ピリオド前、及び前記ページング送信ウィンドウの前記終了よりも前記第２のタイプの予め定義される不連続受信サイクル数前、のうちの少なくとも一方よりも前に送信される場合に、前記ページングメッセージの１つ以上の冗長的な送信とを受信することを要する、請求項３５のワイヤレスデバイス。
【請求項３７】
前記処理回路は、
前記ページングウィンドウ内の残りの前記第２のタイプの不連続受信サイクルの前記数が閾値未満である場合に、ページングメッセージが受信されるものと予期されないと判定する、
ように構成される、請求項２９のワイヤレスデバイス。
【請求項３８】
前記処理回路は、
前記ページングウィンドウ内の残りの前記第２のタイプの不連続受信サイクルの前記数が閾値未満である場合に、トランスポートフォーマット閾値よりもロバストなトランスポートフォーマットを用いてページングメッセージが受信されるものと予期されると判定する、
ように構成される、請求項２９のワイヤレスデバイス。
【発明の詳細な説明】
【技術分野】
【０００１】
本開示は、概して、ワイヤレス通信に関連し、より具体的には、拡張不連続受信下での信頼性のあるページング送信の方法に関連する。
【背景技術】
【０００２】
電力消費は、バッテリ又は外部電源を用いるユーザ機器（ＵＥ）にとって重要な検討事項である。その重要性は、デバイスの個数の持続的な成長とより要求を高めるユースケースと共に増大する。その重要性を、次の例示的なシナリオによって説明することができる。（バッテリで稼働するセンサのような）マシンツーマシン（Ｍ２Ｍ）のユースケースに関して言うと、多数のデバイスについてオンサイト（on-site）でバッテリを交換する（又は充電する）ことが主要なコストであり、バッテリを充電し又は取り替えることが予見されない場合には、バッテリの寿命がデバイスの寿命を左右さえしかねない。ＵＥが外部電源から電力を消費し得るシナリオについてであっても、エネルギー効率の目的のために、電力を少なくしか消費しないことが望ましいであろう。
【０００３】
３ＧＰＰにおいて現在議論されている、不連続受信（ＤＲＸ）動作の強化は、ＵＥでのバッテリ節約を改善する手法である。ＤＲＸは、不必要なシグナリングをもたらすことなく、予め定義される機会の間にＵＥを到達可能にする。現在のところ定義されているように、ＬＴＥ（Long  Term  Evolution）におけるＤＲＸサイクルは、高々２．５６秒にしかできず、よってデータのために低頻度（例えば、数分又は数十分ごと）でウェイクアップする必要があるに過ぎないＵＥにとっては、十分な電力節約を可能にしないであろう。よって、そうしたＵＥのための有意なバッテリ節約を可能にする目的で、ＤＲＸサイクルの拡張を要する。そのうえ、ＤＲＸサイクルは、データの遅延寛容性及び電力節約の要件に依存して設定されることができ、そのようにして、有意なＵＥのバッテリ節約を達成するための柔軟な解決策を提供する。
【０００４】
現在のところ、３ＧＰＰは、強化ＤＲＸ（enhanced-DRX）を定義中である（ＬＴＥにおける接続済み（CONNECTED）モード中のＵＥについて、並びに、ＬＴＥ及びＵＴＲＡ（UMTS  Terrestrial  Radio  Access）におけるアイドル（IDLE）モード中のＵＥについて、互換可能に拡張ＤＲＸ（eDRX（extended-DRX））としても言及され得る。ＬＴＥでは、アイドルでのｅＤＲＸは、ハイパーシステムフレーム番号（Ｈ−ＳＦＮ）の概念に基づく。
【０００５】
［非ｅＤＲＸ（レガシー）ＵＥについてのＤＲＸ構成］
ＬＴＥでは、モバイル端末におけるバッテリ電力を保全するための鍵となる解決策の１つとして導入された。ＤＲＸは、次の特性により特徴付けられる。ＤＲＸは、（無線ベアラごととは反対に）ＵＥごとの仕組みである。ＤＲＸは、ＲＲＣアイドル（RRC_IDLE）モード及びＲＲＣ接続済み（RRC_CONNECTED）モードにおいて使用され得る。ＲＲＣ接続済みモードでは、ｅＮｏｄｅＢ（ｅＮＢ）又はＵＥは、送受信すべき未処理の／新たなパケットが存在しないときにＤＲＸモードを開始し得る。ＲＲＣアイドルモードに関して言うと、２Ｇ端末及び３Ｇ端末は、アイドル状態においてＤＲＸを使用して、バッテリ寿命を増加させる。ＨＳＰＡ（High  Speed  Packet  Access）及びＬＴＥは、接続済み状態についてもＤＲＸを導入済みである。ＤＲＸでは、利用可能なＤＲＸ値は、ネットワークにより制御され、非ＤＲＸから始まりｘ秒まで達する。データ送信に関連するハイブリッド自動再送要求（ＨＡＲＱ）動作は、ＤＲＸ動作から独立的である。ＵＥは、ＤＲＸに関わらず、あり得る再送及び／又は確認応答（ＡＣＫ）／否定確認応答（ＮＡＫ）シグナリングのために、ウェイクアップして物理ダウンリンク制御チャネル（ＰＤＣＣＨ）を読み取る。ダウンリンク（ＤＬ）では、ＵＥが再送のために待機して起きたままでいる時間を制限するために、タイマが使用される。
【０００６】
ＤＲＸが構成される場合、ＵＥは、“継続中（on-duration）”タイマと共にさらに構成され得る。“継続中”タイマの期間中に、ＵＥは、あり得る割り当てを求めてＰＤＣＣＨをモニタリングする。ＤＲＸが構成される場合、周期的なチャネル品質インジケータ（ＣＱＩ）レポートは、“アクティブ時間”の期間中にのみＵＥにより送信され得る。無線リソース制御（ＲＲＣ）は、周期的なＣＱＩレポートを、それらが“継続中の期間中にのみ送信されるようにさらに制限することができる。ｅＮｏｄｅＢは、ＤＲＸが構成される場合のスリープモードの期間中に、ＵＥへパケットを送信しない。
【０００７】
［ＲＲＣアイドル中のＵＥについて］
ＵＥは、長時間続いたエアインタフェースの非アクティビティの後にアイドルモードでのＤＲＸに設定される。アイドルモードでのＤＲＸは、ページングＤＲＸとしても言及され得る（即ち、ＵＥがウェイクアップし直しＲＲＣ接続済み状態へ戻るためのコマンドを収容し得る２つのページングメッセージの間の、モバイルデバイスがスリープへ移行し得る時間である）。
【０００８】
図１は、レガシーＵＥにおけるアイドルＤＲＸサイクルを判定するための例示的な手続を示している。言い換えると、図１は、非ｅＤＲＸ（レガシー）ＵＥについてのＤＲＸサイクル構成を示している。より具体的には、図１は、ＵＥ１１０と、ｅＮＢ１１５と、モビリティ管理エンティティ（ＭＭＥ）１３０との間の信号フローを示している。ステップ１００１において、ｅＮＢ１１５は、システム情報ブロック１（ＳＩＢ１）を介してＵＥ１１０へデフォルトＤＲＸ値をブロードキャストする。いくつかのケースでは、ステップ１００２において、ＵＥ１１０は、デフォルト値よりも短いＤＲＸを有することを望む場合に、ＭＭＥ１３０へＵＥ固有のＤＲＸ値を提供することができる。図１の例では、それはアタッチリクエスト（ATTACH  REQUEST）を用いて達成される。
【０００９】
ステップ１００３において、ＵＥ１１０のためのページングをトリガすると、ＭＭＥ１３０は、ページングと一緒にＵＥ固有のＤＲＸ値をｅＮＢ１１５へ送信する。図１の例では、ＵＥ１１０及びｅＮＢ１１５の双方が、デフォルトＤＲＸ値及びＵＥ固有のＤＲＸ値を知得している。ステップ１００４において、ＵＥ１１０は、デフォルトＤＲＸ値及びＵＥ固有のＤＲＸ値のうちの小さい方へ、最後のＤＲＸサイクルＴを設定する。ＵＥ１１０がＵＥ固有のＤＲＸ値を提供していないケースでは、ＵＥ１１０は、最後のＤＲＸサイクルＴをデフォルトＤＲＸ値へ設定する。同様に、ステップ１００５において、ｅＮＢ１１５は、デフォルトＤＲＸ値及びＵＥ固有のＤＲＸ値のうちの小さい方へ、最後のＤＲＸサイクルＴを設定する。ステップ１００３においてｅＮＢ１１５により受信されたページングメッセージがＵＥ固有のＤＲＸ値を含まない場合、ｅＮＢ１１５は、最後のＤＲＸサイクルＴをデフォルトＤＲＸ値へ設定する。
【００１０】
１つのページングフレーム（ＰＦ）は１つの無線フレームであり、１回又は複数回のページング機会（ＰＯ）を含み得る。ＤＲＸが使用される場合、ＵＥは、ＤＲＸサイクルごとに１回のＰＯのみをモニタリングすることが必要である。
【００１１】
［ＲＲＣ接続済み中のＵＥについて］
Ｅ−ＵＴＲＡＮ（Evolved  UMTS  Terrestrial  Radio  Access  Network）では、ＤＲＸにいくつかの定義が適用される。“継続中（on-duration）”とは、ＵＥがＤＲＸからのウェイクアップ後にＰＤＣＣＨを受信するために待機する、ＤＬサブフレーム数での時間長をいう。ＵＥは、成功裏にＰＤＣＣＨを復号すると、起きたままで非アクティビティタイマをスタートする。“非アクティビティタイマ（inactivity-timer）”は、最後の成功裏のＰＤＣＣＨの復号からＵＥがＰＤＣＣＨの成功裏の復号まで待機する、ＤＬサブフレーム数での時間長をいう。ＵＥは、ＰＤＣＣＨを成功裏に復号しない場合、再びＤＲＸに入る。ＵＥは、初回の送信のみについて（即ち、再送についてではない）、ＰＤＣＣＨの単一の成功裏の復号に続いて非アクティビティタイマをリスタートするものとされる。
【００１２】
“アクティブ時間（active-time）”は、ＵＥが起きている合計の時間長をいう。これは、ＤＲＸサイクルの“継続中”を含み、非アクティビティタイマが満了しない間にＵＥが連続的な受信を実行している時間、及び、１回のＨＡＲＱラウンドトリップ時間（ＲＴＴ）の後にＤＬ再送のために待機している間にＵＥが連続的な受信を実行している時間である。上記に基づき、アクティブ時間の最小は、継続中の長さに等しく、最大は未定義（無限）である。
【００１３】
上記パラメータのうち、継続中及び非アクティビティタイマは固定長を有する。しかしながら、アクティブ時間は、例えばスケジューリング決定及びＵＥによる復号成功に基づいて、変動する長さを有する。継続中及び非アクティビティタイマの時間長のみが、ｅＮｏｄｅＢによりＵＥへシグナリングされる。そのうえ、任意の時点で、ＵＥにおいて提供されるＤＲＸ構成は１つのみ存在し、ＵＥは、ＤＲＸスリープからのウェイクアップ時に継続中を適用するものとされる。
【００１４】
図２は、ＬＴＥにおけるＤＲＸモードの一例を示している。Ｘ軸上には時間２０５が示されており、ＵＥがアウェイ２１０かスリープ２１５かのピリオドがＹ軸上に反映されている。ＤＲＸは、ＤＲＸとして知られる非アクティビティ時間の手段によりトリガされる。図２から理解され得るように、ＵＥのアクティビティ時間は、継続中（ON  Duration）時間内にＰＤＣＣＨが受信される場合には延長され得る。図２の例では、ポイント２２０において、ＵＥはＰＤＣＣＨを成功裏に復号し、非アクティビティタイマ２２５をスタートさせる（図２では非アクティビティタイマ２２５ａとして示されている）。続いて、ポイント２３０において、ＵＥは他のＰＤＣＣＨを成功裏に復号し、非アクティビティタイマ２２５をリセットする（図２では非アクティビティタイマ２２５ｂとして示されている）。非アクティビティタイマ２２５ｂはポイント２３５において満了し、その時にＤＲＸサイクル２４０がスタートする。図２に示したように、ＤＲＸサイクル２４０は、ＵＥが起きている時間ピリオドとそれに続くスリープのピリオドからなる。
【００１５】
いくつかのケースでは、それはＭＡＣ（Medium  Access  Control）ＤＲＸコマンドにより短縮されてもよく、その受信に応じてＵＥは継続中タイマ（onDurationTimer）及びＤＲＸ非アクティビティタイマ（drx-InactivityTimer）をストップする。
【００１６】
継続中の間にＰＤＣＣＨが成功裏に復号されなかった場合、ＵＥは、ＤＲＸ構成に従うものとされる（即ち、ＵＥは、ＤＲＸ構成が許すならばＤＲＸスリープへ移行することができる）。これは、ＵＥに予め定義されるリソースを割り当て済みのサブフレームについても当てはまる。（例えば、図２の例でのポイント２２０において）ＵＥが初回の送信についてＰＤＣＣＨを成功裏に復号する場合、ＵＥは、予め定義されるリソースがＵＥへ割り当てられてもいるサブフレームでＰＤＣＣＨが成功裏に復号されるのだとしても、ＭＡＣ制御メッセージがＵＥにＤＲＸへ移行し直すことを告げるまで、又は非アクティビティタイマが満了するまで、起きたままで非アクティビティタイマ（例えば、非アクティビティタイマ２２５ａ）をスタートさせるものとされる。
【００１７】
双方のケースにおいて、ＤＲＸ再移行後にＵＥが従うＤＲＸサイクルは、次のルールにより与えられる。第一に、ショートＤＲＸサイクルが構成される場合、ＵＥは、まずはそのショートＤＲＸサイクルに従う。より長い非アクティビティピリオドの後に、ＵＥはロングＤＲＸサイクルに従う。ショートＤＲＸサイクルが使用される場合、ロングサイクルはショートサイクルの倍数なる。第二に、ロング及びショートＤＲＸについての時間長は、ＲＲＣにより構成される。ショートＤＲＸサイクルとロングＤＲＸサイクルとの間の遷移は、ｅＮＢ  ＭＡＣコマンドにより、又はアクティビティタイマに基づいてＵＥにより判定される。コマンドが受信されショートＤＲＸが構成される場合、ＵＥは、ＤＲＸショートサイクルタイマ（drxShortCycleTimer）を（リ）スタートしショートＤＲＸサイクルを使用することになる。そうでなければ、ロングＤＲＸが使用されるであろう。他のケースにおいて、ＵＥは、直ちにロングＤＲＸサイクルに従う。
【００１８】
ネットワークにより多様なパラメータが構成され得る。１つの例として、継続中タイマ（onDurationTimer）は、（ＰＤＣＣＨサブフレーム数で）１、２、３、４、５、６、８、１０、２０、３０、４０、５０、６０、８０、１００及び２００であり得る。他の例として、ＤＲＸ非アクティビティタイマ（drx-InactivityTimer）は、（ＰＤＣＣＨサブフレーム数で）１、２、３、４、５、６、８、１０、２０、３０、４０、５０、６０、８０、１００、２００、３００、５００、７５０、１２８０、１１１２０、２５６０であり得る。いくつかのケースにおいて、ＵＥがデバイス内共存（In-Device  Co-Existence（ＩＤＣ））をサポートする場合には、固有の値もまた構成され得る。また別の例として、ロングＤＲＸサイクルスタートオフセット（longDRX-CycleStartOffset）は、サイクル長に依存して、（サブフレーム数で）最大２５５９であり得る。また別の例として、ショートＤＲＸサイクル（ｓｈｏｒｔＤＲＸ−ｃｙｃｌｅ）は、（サブフレーム数で）２、５、８、１０、１６、２０、３２、４０、６４、８０、１２８、１６０、２５６、３２０、５２、６４０であり得る。
【００１９】
＜ＬＴＥにおけるｅＤＲＸ構成＞
［ＲＲＣアイドル中のＵＥについて］
ＤＲＸと似たように、ｅＤＲＸ構成パラメータは、ＮＡＳを介してＵＥとネットワークとの間で“交渉”される。図１に関して上で説明した例と同様、ＵＥは、アタッチリクエスト（ATTACH  REQUEST）メッセージ又はトラッキングエリア更新リクエスト（TRACKING  AREA  UPDATE  REQUEST）メッセージ内にｅＤＲＸパラメータを含め得る。ネットワークは、ＵＥがｅＤＲＸパラメータ（例えば、ｅＤＲＸサイクル）を対応するリクエストメッセージ内に含めた場合においてネットワークがｅＤＲＸの使用をサポートし及び容認するときは、それぞれアタッチ容認（ATTACH  ACCEPT）メッセージ又はトラッキングエリア更新容認（TRACKING  AREA  UPDATE  REQUEST  ACCEPT）メッセージ内にｅＤＲＸパラメータ（例えば、ｅＤＲＸサイクル長、ページングウィンドウ長など）を含めるものとされる。ｅＤＲＸパラメータの例は、ｅＤＲＸサイクル長及びページング送信ウィンドウ（ＰＴＷ）長を含む。
【００２０】
ＵＥは、ＭＭＥにより割り当てられＮＡＳ（Non-Access  Stratum）を介してＵＥへ提供されるＰＴＷと共に構成される。例えば、３ＧＰＰ  ＴＳ２４．３０１  ｖ１３．４．０において説明されている通りである。ＰＴＷは、いくつかの特徴を有する。例えば、ＰＴＷは、ページングＨ−ＳＦＮ（ＰＨ）により特徴付けられる。ＰＨは、次の式に従って計算される：
H-SFN  mod  TeDRX  ＝  （UE_ID  mod  TeDRX）                （１）
ここで、ＵＥ＿ＩＤは、ＩＭＳＩ  mod  １０２４であり、ＴｅＤＲＸは、ＵＥのｅＤＲＸサイクルであって（例えば、ハイパーサブフレーム数でＴｅＤＲＸ＝１、２、…、２５６）上位レイヤにより構成される。他の例として、ＰＴＷは、ＰＴＷスタートにより特徴付けられる。ＰＴＷスタートは、ＰＨの範囲内で計算される。ＰＴＷのスタートは、ＰＨ内の４つのページング開始点にわたって均一に分散される。ＰＷ＿ｓｔａｒｔは、ページングウィンドウの一部であるＰＨの最初の無線フレームを表し、次の等式を満たすシステムフレーム番号（ＳＦＮ）を有する：
SFN  ＝  256×ieDRX，  ここでieDRX  ＝  floor（UE_ID／TeDRX,H）  mod  4
（２）
ここで、ＰＷ＿ｅｎｄは、ＰＷの最後の無線フレームであり、次の等式を満たすＳＦＮを有する：
SFN  ＝  （PW_start  ＋  L×100  −  1）  mod  1024          （３）
ここで、Ｌ＝上位レイヤにより構成される（秒での）ページングウィンドウ長である。他の例として、ＰＴＷは、上位レイヤにより構成されるＰＴＷ長により特徴付けられる。ＰＴＷの範囲内で、ＵＥは、レガシーＤＲＸと共にさらに構成される（図４に関して以下でより詳細に説明される）。
【００２１】
図３は、Ｈ−ＳＦＮサイクルを例示している。Ｈ−ＳＦＮは、レガシーのＳＦＮ構造の上位になる新たなフレーム構造として定義されており、各Ｈ−ＳＦＮ値が１０２４個のレガシーフレームの１サイクルに相当し、１回のＨ−ＳＦＮサイクル３０５が１０２４ハイパーＳＦＮ３１０を複数個含む（１０ビット）。全てのＭＭＥ及びｅＮＢが同じＨ−ＳＦＮを有し、セルがＳＢ１又はＳＩＢ１ｂｉｓを介してそれらのＨ−ＳＦＮをブロードキャストする。
【００２２】
ＰＴＷは、ＭＭＥにより割り当てられ、アタッチ及び／又はトラッキングエリア更新の期間中にＮＡＳを介してＵＥへ提供される。ＰＴＷの開始は、予め定義される式により計算される。
【００２３】
図４は、Ｈ−ＳＦＮ、ページングウィンドウ及びｅＤＲＸ周期性の間の関係を例示している。より具体的には、図４は、１０２４個のハイパーＳＦＮ３１０を含むＨ−ＳＦＮサイクル３０５を示しており、そのうちハイパーＳＦＮ３１０ａ〜３１０ｇが描かれている。図４の例では、ハイパーＳＦＮ３１０ｄ及び３１０ｅがＰＨである。ＰＨ３１０ｄ内にあるのは１０２４個のレガシーフレームであり、そのうちのＹ、Ｙ＋ＴＤＲＸ及びＹ＋ＮｃＴＤＲＸが通常の（即ち、レガシーの）ＤＲＸサイクルの継続中（on  durations）である。図４の例では、ページングウィンドウは、フレームＹからＹ＋ＮｃＴＤＲＸまで続く。
【００２４】
［ＲＲＣ接続済み中のＵＥについて］
ＲＲＣ接続済みのＵＥのためのｅＤＲＸ手続は、２つの新たなＤＲＸサイクル：５．１２秒及び１０．２８秒が追加されたことを除いて、レガシーと同じである。
【００２５】
＜ＵＴＲＡにおけるｅＤＲＸ＞
図５は、ＵＴＲＡにおけるｅＤＲＸの一例を示している。ＵＴＲＡでは、ｅＤＲＸは、アイドル状態についてのみ仕様化されている。ＵＴＲＡについてのｅＤＲＸでは、ＤＲＸサイクルは数秒に引き伸ばされており、レガシーＤＲＸサイクルよりも格段に長い。図５に示したように、ＤＲＸサイクル５０５は、長いスリープピリオド５１０からなり、次いでＵＥはＰＴＷ５１５へ向けてウェイクアップする。各ＰＴＷ５１５内には、レガシーＰＳ  ＤＲＸサイクル５２５を伴ってＮ＿ＰＴＷ回のページング機会５２０が存在する。
【００２６】
既存のアプローチによれば、ネットワークノードは、ページングが送信されるセル内で構成されるｅＤＲＸサイクルのページングＰＴＷの期間中に、ＵＥへページングを送信する。しかしながら、ｅＤＲＸサイクル長を非常に長く（例えば、４０分を上回るまで、将来には数時間まででも）することができる。これは、ページングを送信可能なＰＴＷが非常に稀にしか生起し得ないことを意味する。具体的なＰＴＷにおけるページングのいかなるロスも、そのページングを受信するためのＰＴＷの次の生起までＵＥが待機しなければならないことを意味する。しかしながら、ＰＴＷの次の又はその後の生起においてネットワークノードにより送信されるページングをＵＥが正確に受信することになる保証は無い。結果として、ＵＥにおけるページングの受信は、予測不能な時間、遅延し得る。転じて、これは、着信呼をスタートする性能の有意な劣化をもたらしかねず、呼のブロックにさえつながるかもしれない。加えて、ＵＥがページングメッセージを介してネットワークノードにより送信される他のクリティカルな情報（例えば、システム情報（ＳＩ）の変更又は更新）を逸失することもあり得る。転じて、これは、ＳＩを介してＵＥへ送信されるシステムパラメータに依拠するＵＥのモビリティ性能（例えば、セル再選択）を劣化させるであろう。
【発明の概要】
【課題を解決するための手段】
【００２７】
既存の解決策に伴う前述した問題に対処するために、ネットワークノードにおける方法が開示される。その方法は、第１のセルにおいて構成される第１のタイプの不連続受信サイクル内のページング送信ウィンドウの長さを取得すること、を含む。上記方法は、上記第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得すること、を含み、上記第２のタイプの不連続受信サイクルは上記第１のタイプの上記不連続受信サイクルよりも短い。上記方法は、上記第１のセルにおける上記リファレンス時間を基準として上記ページング送信ウィンドウ内の残りの上記第２のタイプの不連続受信サイクルの上記数、及び、上記リファレンス時間からスタートする上記ページング送信ウィンドウ内の残りの上記時間量、のうちの取得される上記少なくとも一方に基づいて、上記第１のセルにおいてページングメッセージを送信することができるかを判定すること、を含む。
【００２８】
ある実施形態において、上記第１のタイプの不連続受信は、拡張された不連続受信であってよく、上記第２のタイプの不連続受信は、レガシーの不連続受信であってよい。ある実施形態において、上記方法は、上記判定の結果を少なくとも１つの他のノードへ指し示すこと、を含んでもよい。ある実施形態において、上記方法は、上記ページング送信ウィンドウの外側で少なくとも１つのページングメッセージを送信してもよい。
【００２９】
ある実施形態において、上記方法は、上記ページング送信ウィンドウ内の残りの上記第２のタイプの不連続受信サイクルの上記数が閾値以上であること、及び、上記リファレンス時間からスタートする上記ページング送信ウィンドウ内の残りの上記時間量が時間閾値以上であること、のうちの少なくとも一方を判定することに応じて、上記第１のセルにおいて上記ページングメッセージを送信すること、を含んでもよい。上記方法は、送信される上記ページングメッセージの１つ以上の冗長的なコピーを送信すること、を含んでもよい。
【００３０】
ある実施形態において、上記方法は、上記ページング送信ウィンドウ内の残りの上記第２のタイプの不連続受信サイクルの上記数が閾値未満であるとの判定に応じて、上記ページング送信ウィンドウにおいて上記ページングメッセージを送信しないことと、後続のページング送信ウィンドウまで上記ページングメッセージの送信を延期することと、上記ページング送信ウィンドウにおいて、トランスポートフォーマット閾値よりもロバストなトランスポートフォーマットで上記ページングメッセージを送信することと、上記ページング送信ウィンドウにおいて、送信電力閾値を上回る送信電力で上記ページングメッセージを送信することと、のうちの１つを実行すること、を含んでもよい。
【００３１】
ある実施形態において、上記方法は、上記第１のセルにおいて上記ページングメッセージを送信することができないという判定に応じて、上記ページング送信ウィンドウ、上記第１のタイプの上記不連続受信サイクル、及び、上記第２のタイプの上記不連続受信サイクル、のうちの１つ以上を適応させること、を含んでもよい。上記方法は、上記適応の結果としての上記ページングメッセージについての構成を少なくとも１つの他のノードへ指し示すこと、を含んでもよい。
【００３２】
ネットワークノードもまた開示される。そのネットワークノードは、処理回路を備える。上記処理回路は、第１のセルにおいて構成される第１のタイプの不連続受信サイクル内のページング送信ウィンドウの長さを取得する、ように構成される。上記処理回路は、上記第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得する、ように構成され、上記第２のタイプの不連続受信サイクルは上記第１のタイプの上記不連続受信サイクルよりも短い。上記処理回路は、上記第１のセルにおける上記リファレンス時間を基準として上記ページング送信ウィンドウ内の残りの上記第２のタイプの不連続受信サイクルの上記数、及び、上記リファレンス時間からスタートする上記ページング送信ウィンドウ内の残りの上記時間量、のうちの取得される上記少なくとも一方に基づいて、上記第１のセルにおいてページングメッセージを送信することができるかを判定する、ように構成される。
【００３３】
ワイヤレスデバイスにおける方法もまた開示される。その方法は、第１のセルにおいて構成される第１のタイプの不連続受信サイクル内のページング送信ウィンドウの長さを取得すること、を含む。上記方法は、上記第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得すること、を含み、上記第２のタイプの不連続受信サイクルは上記第１のタイプの上記不連続受信サイクルよりも短い。上記方法は、上記第１のセルにおける上記リファレンス時間を基準として上記ページング送信ウィンドウ内の残りの上記第２のタイプの不連続受信サイクルの上記数、及び、上記リファレンス時間からスタートする上記ページング送信ウィンドウ内の残りの上記時間量、のうちの取得される上記少なくとも一方に基づいて、上記第１のセルにおいてページングメッセージが受信されるものと予期されるかを判定すること、を含む。
【００３４】
ある実施形態において、上記第１のタイプの不連続受信は、拡張された不連続受信であってよく、上記第２のタイプの不連続受信は、レガシーの不連続受信であってよい。ある実施形態において、上記方法は、上記ページング送信ウィンドウの外側で少なくとも１つのページングメッセージを受信すること、を含んでもよい。
【００３５】
ある実施形態において、上記方法は、上記第１のセルにおいて上記ページングメッセージが受信されるものと予期されるという判定に応じて、１つ以上の受信機特性を調整して上記ページングメッセージの受信を促進すること、を含んでもよい。上記方法は、上記ページング送信ウィンドウの期間中に受信されるものと予期される冗長的なページングメッセージの数を判定すること、を含んでもよい。上記方法は、上記ページングメッセージを受信することと、受信される上記ページングメッセージを１つ以上の後続して受信される冗長的なページングメッセージとの合成のために記憶することと、を含んでもよい。
【００３６】
ある実施形態において、上記ページング送信ウィンドウ内の残りの上記第２のタイプの不連続受信サイクルの上記数が閾値以上である場合、又は、上記リファレンス時間からスタートする上記ページング送信ウィンドウ内の残りの上記時間量が時間閾値以上である場合に、上記第１のセルにおいて上記ページングメッセージが受信されるものと予期されると判定すること、を含んでもよい。上記ワイヤレスデバイスは、上記ページングメッセージと、上記ページング送信ウィンドウの終了よりも予め定義される時間ピリオド前、及び上記ページング送信ウィンドウの上記終了よりも上記第２のタイプの予め定義される不連続受信サイクル数前、のうちの少なくとも一方よりも前に送信される場合に、上記ページングメッセージの１つ以上の冗長的な送信とを受信することを要してもよい。
【００３７】
ある実施形態において、上記方法は、上記ページングウィンドウ内の残りの上記第２のタイプの不連続受信サイクルの上記数が閾値未満である場合に、ページングメッセージが受信されるものと予期されないと判定すること、を含んでもよい。ある実施形態において、上記方法は、上記ページングウィンドウ内の残りの上記第２のタイプの不連続受信サイクルの上記数が閾値未満である場合に、トランスポートフォーマット閾値よりもロバストなトランスポートフォーマットを用いてページングメッセージが受信されるものと予期されると判定すること、を含んでもよい。
【発明の効果】
【００３８】
本開示のある実施形態は、１つ以上の技術的な利点を提供し得る。１つの例として、ある実施形態は、ワイヤレスデバイスが非常に長いｅＤＲＸサイクル長（例えば、数分のオーダ）と共に構成される場合であっても、ワイヤレスデバイスがページングメッセージを成功裏に受信することができることを保証し得る。他の例として、ある実施形態は、ネットワークノードがｅＤＲＸサイクルの同じページング送信ウィンドウ内でワイヤレスデバイスへページングメッセージを成功裏に送信することを可能にし得る。また別の例として、ある実施形態は、呼の破棄を回避し又は少なくとも最小化することを可能にし得る。また別の例として、全体的なワイヤレスデバイスのモビリティ性能（及び、具体的にはワイヤレスデバイスのセル再選択の性能）が強化され得る。いくつかのケースでは、これは、ページングメッセージを介して指し示されるシステム情報内の何らかの変更が見逃される確率が有意に低減されるという事実に起因する。当業者にとっては他の利点が容易に明らかであろう。ある実施形態は、述べられた利点のうちのどれも有しなくてもよく、又は、いくつか若しくは全てを有してもよい。
【図面の簡単な説明】
【００３９】
開示される実施形態並びにそれらの特徴及び利点のより充分な理解のために、これより次の添付図面と併せて以下の説明への参照がなされる。
【００４０】
【図１】レガシーＵＥにおけるアイドルＤＲＸサイクルを判定する手続を例示している。
【図２】ＬＴＥにおけるＤＲＸモードを例示している。
【図３】Ｈ−ＳＦＮサイクルを例示している。
【図４】Ｈ−ＳＦＮ、ページングウィンドウ及びｅＤＲＸ周期性の間の関係を例示している。
【図５】ＵＴＲＡにおけるｅＤＲＸを例示している。
【図６】ある実施形態に係るワイヤレス通信ネットワークの概略図である。
【図７】ある実施形態に係るネットワークノードにおける方法のフローチャートである。
【図８】ある実施形態に係るワイヤレスデバイスにおける方法のフローチャートである。
【図９】ある実施形態に係る例示的なワイヤレスデバイスの概略ブロック図である。
【図１０】ある実施形態に係る例示的なネットワークノードの概略ブロック図である。
【図１１】ある実施形態に係る例示的な無線ネットワークコントローラ又はコアネットワークノードの概略ブロック図である。
【図１２】ある実施形態に係る例示的なワイヤレスデバイスの概略ブロック図である。
【図１３】ある実施形態に係る例示的なネットワークノードの概略ブロック図である。
【発明を実施するための形態】
【００４１】
上述したように、いくつかのケースにおいて、ｅＤＲＸサイクル長を非常に長くすることができ、これはページングを送信可能なＰＴＷが低頻度でしか発生し得ない結果をもたらす。具体的なＰＴＷにおけるページングのいかなるロスも、そのページングを受信するためのＰＴＷの次の生起までＵＥが待機しなければならないことを意味する。しかしながら、ＰＴＷの次の又はその後の生起においてネットワークノードにより送信されるページングをＵＥが正確に受信することになる保証は無く、これはＵＥにおけるページングの受信が予測不能な時間遅延し得ることを意味する。転じて、これは、着信呼をスタートする性能の有意な劣化をもたらしかねず、呼のブロックにさえつながるかもしれない。また、ＵＥがページングメッセージを介してネットワークノードにより送信される他のクリティカルな情報を逸失することもあり得るし、それはＳＩを介してＵＥへ送信されるシステムパラメータに依拠するＵＥのモビリティ性能を劣化させかねない。
【００４２】
本開示では、既存のアプローチのこれら及び他の欠陥に対処し得る多様な実施形態が検討される。例えば、あるセルにおける、同じＰＴＷ内で十分な信頼性を伴うページングメッセージの送信を可能にするＵＥ及びネットワークノードにおける方法が説明される。これは、転じて、ＵＥがページングメッセージを受信し及び正確に復号できることを保証し、それによりＵＥ性能及びモビリティが強化される。
【００４３】
１つの例示的な実施形態によれば、ネットワークノードにおける方法が開示される。ネットワークノードは、第１のセルにおいて構成される第１のタイプの不連続受信サイクル内のページング送信ウィンドウの長さを取得する。上記ネットワークノードは、上記第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得し、上記第２のタイプの不連続受信サイクルは上記第１のタイプの上記不連続受信サイクルよりも短い。上記ネットワークノードは、上記第１のセルにおける上記リファレンス時間を基準として上記ページング送信ウィンドウ内の残りの上記第２のタイプの不連続受信サイクルの上記数、及び、上記リファレンス時間からスタートする上記ページング送信ウィンドウ内の残りの上記時間量、のうちの取得される上記少なくとも一方に基づいて、上記第１のセルにおいてページングメッセージを送信することができるかを判定する。
【００４４】
他の例示的な実施形態によれば、ワイヤレスデバイスにおける方法が開示される。ワイヤレスデバイスは、第１のセルにおいて構成される第１のタイプの不連続受信サイクル内のページング送信ウィンドウの長さを取得する。上記ワイヤレスデバイスは、上記第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得し、上記第２のタイプの不連続受信サイクルは上記第１のタイプの上記不連続受信サイクルよりも短い。上記ワイヤレスデバイスは、上記第１のセルにおける上記リファレンス時間を基準として上記ページング送信ウィンドウ内の残りの上記第２のタイプの不連続受信サイクルの上記数、及び、上記リファレンス時間からスタートする上記ページング送信ウィンドウ内の残りの上記時間量、のうちの取得される上記少なくとも一方に基づいて、上記第１のセルにおいてページングメッセージが受信されるものと予期されるかを判定する。
【００４５】
本開示のある実施形態は、１つ以上の技術的な利点を提供し得る。１つの例として、ある実施形態は、ワイヤレスデバイスが非常に長いｅＤＲＸサイクル長（例えば、数分のオーダ）と共に構成される場合であっても、ワイヤレスデバイスがページングメッセージを成功裏に受信することができることを保証し得る。他の例として、ある実施形態は、ネットワークノードがｅＤＲＸサイクルの同じページング送信ウィンドウ内でワイヤレスデバイスへページングメッセージを成功裏に送信することを可能にし得る。また別の例として、ある実施形態は、呼の破棄を回避し又は少なくとも最小化することを可能にし得る。また別の例として、全体的なワイヤレスデバイスのモビリティ性能（及び、具体的にはワイヤレスデバイスのセル再選択の性能）が強化され得る。いくつかのケースでは、これは、ページングメッセージを介して指し示されるシステム情報内の何らかの変更が見逃される確率が有意に低減されるという事実に起因する。当業者にとっては他の利点が容易に明らかであろう。ある実施形態は、述べられた利点のうちのどれも有しなくてもよく、又は、いくつか若しくは全てを有してもよい。
【００４６】
図６は、ある実施形態に係るワイヤレス通信ネットワーク１００の概略図である。ネットワーク１００は、１つ以上のＵＥ１１０（互換可能にワイヤレスデバイス１１０又は単にデバイス１１０として言及されてもよい）と、ネットワークノード１１５（互換可能にｅＮｏｄｅＢ（ｅＮＢ）１１５として言及されてもよい）とを含む。ＵＥ１１０は、ワイヤレスインタフェース上でネットワークノード１１５と通信し得る。例えば、ＵＥ１１０Ａは、ネットワークノード１１５のうちの１つ以上へワイヤレス信号を送信し、及び／又は、ネットワークノード１１５のうちの１つ以上からワイヤレス信号を受信し得る。ワイヤレス信号は、音声トラフィック、データトラフィック、制御信号、及び／又は任意の他の適した情報を含み得る。いくつかの実施形態において、ネットワークノード１１５に関連付けられるワイヤレス信号カバレッジのエリアはセルとして言及され得る。いくつかの実施形態において、ＵＥ１１０は、Ｄ２Ｄケイパビリティを有し得る。よって、ＵＥ１１０は、他のＵＥとの間で直接的に信号を受信し及び／又は信号を送信することが可能であり得る。例えば、ＵＥ１１０Ａは、ＵＥ１１０Ｂとの間で信号を受信し及び信号を送信することが可能であり得る。
【００４７】
ある実施形態において、ネットワークノード１１５は、無線ネットワークコントローラとインタフェースし得る。無線ネットワークコントローラは、ネットワークノード１１５を制御し、何らかの無線リソース管理機能、モビリティ管理機能及び／又は他の適した機能を提供し得る。ある実施形態において、無線ネットワークコントローラの機能は、ネットワークノード１１５により実行されてもよい。無線ネットワークコントローラは、コアネットワークノードとインタフェースし得る。ある実施形態において、無線ネットワークコントローラは、相互接続ネットワークを介してコアネットワークノードとインタフェースしてもよい。相互接続ネットワークは、音声、映像、信号、データ、メッセージ又はそれらの任意の組み合わせを送信可能ないかなる相互接続システムへの言及であってもよい。相互接続ネットワークは、インターネット、有線若しくは無線ネットワーク、エンタープライズイントラネット、又は、それらの含みあわせを含む任意の他の適した通信リンクといった、ＰＳＴＮ（public  switched  telephone  network）、パブリック若しくはプライベートデータネットワーク、ＬＡＮ（local  area  network）、ＭＡＮ（metropolitan  area  network）、ＷＡＮ（wide  area  network）、ローカル、リジョナル若しくはグローバル通信若しくはコンピュータネットワークのうちの全て又は一部を含んでもよい。
【００４８】
いくつかの実施形態において、コアネットワークノードは、通信セッションの確立とＵＥ１１０についての他の多様な機能性とを管理し得る。ＵＥ１１０は、ＮＡＳ（non-access  stratum）レイヤを用いてコアネットワークノードと何らかの信号を交換し得る。ＮＡＳシグナリングにおいて、ＵＥ１１０とコアネットワークノードとの間の信号は、無線アクセスネットワークを透過的に通過し得る。ある実施形態において、ネットワークノード１１５は、ノード間インタフェース上で１つ以上のネットワークノードとインタフェースし得る。例えば、ネットワークノード１１５Ａ及び１１５Ｂは、Ｘ２インタフェース上でインタフェースし得る。
【００４９】
いくつかの実施形態において、非限定的な用語“ＵＥ”が使用されている。上述したように、ネットワーク１００の例示的な実施形態は、１つ以上のＵＥ１１０、及び、ＵＥ１１０と（直接的に又は間接的に）通信可能な１つ以上の異なるタイプのネットワークノードを含み得る。ここで説明されるＵＥ１１０は、無線信号上でネットワークノード１１５又は他のＵＥと通信可能な任意のタイプのワイヤレスデバイスであり得る。ＵＥ１１０は、無線通信デバイス、ターゲットデバイス、デバイスツーデバイス（Ｄ２Ｄ）ＵＥ、マシンタイプ通信ＵＥ若しくはマシンツーマシン（Ｍ２Ｍ）通信可能なＵＥ、ＵＥを具備するセンサ／アクチュエータ、ｉＰａｄ、タブレット、モバイル端末、スマートフォン、ＬＥＥ（laptop  embedded  equipped）、ＬＭＥ（laptop  mounted  equipment）、ＵＳＢドングル、ＣＰＥ（Customer  Premises  Equipment）、又は任意の他の適したデバイスであってもよい。
【００５０】
また、いくつかの実施形態では、一般的な専門用語“ネットワークノード”が使用されている。それは、基地局（ＢＳ）、無線基地局、基地送受信局、基地局コントローラ、ネットワークコントローラ、進化型ノードＢ（ｅＮＢ）、ｇＮＢ、ノードＢ、マルチＲＡＴ基地局、ＭＣＥ（Multi-cell/multicast  Coordination  Entity）、リレーノード、アクセスポイント、無線アクセスポイント、ＲＲＵ（Remote  Radio  Unit）、ＲＲＨ（Remote  Radio  Head）、コアネットワークノード（例えば、ＭＭＥ、ＳＯＮノード、協調ノード、測位ノード、ＭＤＴノードなど）、又は、外部ノード（例えば、サードパーティノード、現行ネットワークの外部のノード）などであってさえよい、無線ネットワークノードを含み得るいかなる種類のネットワークノードでもあり得る。
【００５１】
ここで使用される用語“ノード”は、ＵＥ又はネットワークノードを表すために使用され得る。
【００５２】
ＵＥ１１０、ネットワークノード１１５及び（無線ネットワークコントローラ又はコアネットワークノードといった）他のネットワークノードの例示的な実施形態が、以下に図９〜図１３に関してより詳細に説明される。
【００５３】
ここで説明される多様な実施形態は、シングルキャリアだけでなく、マルチキャリア又はＵＥのキャリアアグリゲーション（ＣＡ）動作にも適用可能であり、マルチキャリア又はＣＡ動作において、ＵＥは、１つよりも多くのサービングセルに対してデータを受信し及び／又は送信することができる。ＣＡは、互換可能に“マルチキャリアシステム”、“マルチセル動作”、“マルチキャリア動作”、“マルチキャリア“送信及び／又は受信として言及され得る。ＣＡでは、コンポーネントキャリア（ＣＣ）のうちの１つはプライマリコンポーネントキャリア（ＰＣＣ）若しくは単にプライマリキャリアであり、又はアンカーキャリアでさえある。残りのＣＣは、セカンダリコンポーネントキャリア（ＳＣＣ）若しくは単にセカンダリキャリアであり、又は補助キャリアでさえある。サービングセルは、互換可能にプライマリセル（ＰＣｅｌｌ）又はプライマリサービングセル（ＰＳＣ）として言及される。同様に、セカンダリサービングセルは、互換可能にセカンダリセル（ＳＣｅｌｌ）又はセカンダリサービングセル（ＳＳＣ）として言及される。
【００５４】
図６はネットワーク１００の具体的な配置を例示しているものの、本開示について、ここで説明される多様な実施形態はいかなる適した構成を有する多様なネットワークにも適用されてよいものと考えらえる。例えば、ネットワーク１００は、任意の適した数のＵＥ１１０及びネットワーク１１５に加えて、ＵＥ間の又はＵＥと（地上電話といった）他の通信デバイスとの間の通信をサポートするために適した任意の追加的なエレメントを含んでよい。そのうえ、ある実施形態はＬＴＥネットワークにおいて実装されるものとして説明され得るものの、それら実施形態は、任意の適した通信標準をサポートし任意の適したコンポーネントを使用する任意の適切なタイプの通信システムにおいて実装されてよく、ＵＥが信号（例えば、データ）を送受信する任意の無線アクセス技術（ＲＡＴ）又はマルチＲＡＴシステムへ適用可能である。例えば、ここで説明される多様な実施形態は、ＮＸ、５Ｇ、ＬＴＥ、ＬＴＥ  ＦＤＤ（Frequency  Division  Duplex）、ＬＴＥ  ＴＤＤ（Time  Division  Duplex）、ＬＴＥアドバンスト、ＮＢ−ＩｏＴ（Narrow  Band  Internet-of-Things）、ＵＴＲＡ、ＵＭＴＳ、ＨＳＰＡ、ＧＳＭ、ｃｄｍａ２０００、ＷｉＭａｘ、ＷｉＦｉ、近距離通信ＲＡＴ、狭帯域ＲＡＴ、５Ｇ向けＲＡＴ、他の適した無線アクセス技術、又は、１つ以上の無線アクセス技術の任意の適した組み合わせを含む任意のＲＡＴ又はそれらの進化版へ適用されてよい。
【００５５】
ここで説明されるどの２つ以上の実施形態も、互いにいかなる手法で組み合わせられてもよい。ページングチャネル及びページングメッセージについて多様な実施形態が説明され得るものの、これは例示の目的のために過ぎない。本開示では、ネットワークノード及びワイヤレスデバイス（例えば、ＵＥ）の双方についてここで説明される多様な実施形態が、ＰＴＷ内で送信される必要があり且つある検出及び／又は品質レベルを達成するために送信の反復を要し得る、他のチャネルタイプのためにも適応され得るものと考えられる。
【００５６】
ここで使用されるところによれば、用語“シグナリング”は、次の非限定的な例のうちのいずれかへの言及であり得る：（例えば、ＲＲＣを介する）上位レイヤシグナリング、（例えば、物理制御チャネル又はブロードキャストチャネルを介する）下位レイヤシグナリング、又はそれらの任意の適した組み合わせ。シグナリングは、暗黙的であってもよく又は明示的であってもよい。さらに、シグナリングは、ユニキャスト、マルチキャスト又はブロードキャストであってよい。また、シグナリングは、他のノードへ直接的であってもよく、又は第３のノードを介してもよい。
【００５７】
ここで使用されるところによれば、用語“ｅＤＲＸサイクル”は、互換可能に第１のＤＲＸサイクル（ＤＲＸ１）又は第１のタイプのＤＲＸサイクルとして言及され得る。ここで使用されるところによれば、用語“レガシーＤＲＸサイクル”は、互換可能に第２のＤＲＸサイクル（ＤＲＸ２）又は第２のタイプのＤＲＸサイクルとして言及され得る。ＵＥがページングを受信し又はＳＩを読み取ることのできる期間であるＰＴＷは、ＤＲＸ１ごとに１回生起する。また、ＰＴＷは、互換可能に第１のページング機会又はＤＲＸ１のページング機会として言及され得る。各ＰＴＷの範囲内で、ＵＥは、少なくとも１つのＤＲＸ２と共に構成される。ＤＲＸ１及びＤＲＸ２の長さは、次の関係式により関係付けられる：  ＤＲＸ１＞ＤＲＸ２。
【００５８】
いくつかのケースにおいて、ネットワークノード１１５は、ＰＴＷの期間中に少なくとも第１のセル（セル１）において１つ以上のＵＥ１１０へ１つ以上のページングメッセージを送信する。ネットワークノード１１５は、トラックエリアへ属する複数のセル（例えば、２つ以上のセル）内の１つ以上のＵＥ１１０へ１つ以上のページングメッセージを送信してもよい。
【００５９】
ここで使用されるところによれば、用語“ページングメッセージ”は、標識、アラートメッセージ、データ、又はＵＥ１１０へ送信される任意のタイプの上位レイヤ情報を含み得る。ある実施形態において、ページングメッセージは、着信呼（即ち、ネットワーク発の呼）に関する情報を含んでもよい。ある実施形態において、ページングメッセージは、セル内の任意のタイプのブロードキャスト又はシステム情報の任意の変更又は修正に関する情報を含んでもよい。ある実施形態において、ページングメッセージは、セル内のブロードキャスト又はシステム情報を含んでもよい。
【００６０】
ページングメッセージは、いかなる適したやり方でＵＥ１１０へ送信されてもよい。１つの非限定的な例として、ページングメッセージは、１つ以上の物理チャネル上でＵＥ１１０へ送信され得る。そうした物理チャネルの例は、限定ではないものの、データチャネル（例えば、物理ダウンリンク共有チャネル（ＰＤＳＣＨ）、マシンタイプ通信（ＭＴＣ）物理ダウンリンク共有チャネル（Ｍ−ＰＤＳＣＨ）など）、制御チャネル（例えば、物理ダウンリンク制御チャネル（ＰＤＣＣＨ）、強化物理ダウンリンク制御チャネル（Ｅ−ＰＤＣＣＨ）、ＭＴＣ物理ダウンリンク制御チャネル（Ｍ−ＰＤＣＣＨ）など）、ブロードキャストチャネル（物理ブロードキャストチャネル（ＰＢＣＨ）、ＭＴＣ物理ブロードキャストチャネル（Ｍ−ＰＢＣＨ）など）、又は任意の他の適したチャネルを含む。
【００６１】
ある実施形態において、用語“ＵＥモビリティ”又は“セル変更”が使用される。これらは、例えば、次のうちの１つ以上を含み得る：セルの変更（例えば、滞在すべき先、又は、プライマリ、セカンダリなどであってよいサービングセル）；キャリア周波数の変更（例えば、プライマリ、セカンダリなどであってよいサービングキャリア周波数上に滞在するため）；周波数帯域の変更；ＲＡＴの変更（滞在すべき先、又は、やはりプライマリ、セカンダリなどであってよいサービングＲＡＴ）；ＵＥ接続済み状態でのハンドオーバの実行；及び、ＵＥアイドル状態でのセル選択／再選択の実行。
【００６２】
ある実施形態では、ｅＤＲＸ動作下でのページングメッセージの信頼性のある送信のためのネットワークノード１１５における方法が開示される。上述したように、ネットワークノード１１５は、第１のセルにおいて構成される第１のタイプのＤＲＸサイクル内のＰＴＷの長さを取得する。第１のタイプのＤＲＸは、ｅＤＲＸであってよい。
【００６３】
ネットワークノード１１５は、いかなる適したやり方で第１のセルにおいて構成される第１のタイプのＤＲＸサイクル内のＰＴＷの長さを取得してもよい。１つの例として、ネットワークノード１１５は、構成されるｅＤＲＸサイクルに関連する情報を自身のメモリから取り出すことにより、ＰＴＷの長さを判定してもよい。他の例として、ネットワークノード１１５は、第１のセルにおいて構成されるｅＤＲＸサイクルに関連する情報を他のネットワークノードから受信してもよい。また別の例として、ネットワークノード１１５は、予め定義されるルールに基づいてＰＴＷ長を判定してもよい。また別の例として、ネットワークノード１１５は、ＰＴＷ長を適応的に構成してもよい。具体的な例として、ネットワークノード１１５は、第１のセルにおいて構成される（第１のＤＲＸサイクル（ＤＲＸ１）としても知られる）ｅＤＲＸサイクル内のＰＴＷの長さを判定し得る。
【００６４】
ＰＴＷ長に関連する情報は、いかなる適した情報を含んでもよい。例えば、ＰＴＷ長に関連する情報は、次のうちの１つ以上を含み得る：ＰＴＷの時間での長さ（例えば、Ｘｍｓ、Ｙ秒、Ｚサブフレームなど）；第２のタイプのＤＲＸサイクル（例えば、レガシーＤＲＸサイクル）の数（即ち、ＤＲＸ２の数）（例えば、Ｚ個のＤＲＸ２、各々長さ８０（即ち、Ｚ×８０ｍｓ））；ｅＤＲＸサイクル長を基準としたＰＴＷ時間長のパーセンテージ又は比（例えば、ＰＴＷ時間長／ｅＤＲＸサイクル長）。
【００６５】
ネットワークノード１１５は、第１のセルにおけるリファレンス時間を基準としてＰＴＷ内の残りの第２のタイプのＤＲＸサイクル（例えば、レガシーＤＲＸサイクル）の数、及び、上記リファレンス時間からスタートするＰＴＷ内の残りの時間量、のうちの少なくとも一方を取得する。第２のタイプのＤＲＸサイクルは、第１のタイプのＤＲＸサイクルよりも短くてよい。
【００６６】
ネットワークノード１１５は、第１のセルにおけるリファレンス時間を基準としてＰＴＷ内の残りの第２のタイプのＤＲＸサイクル（例えば、レガシーＤＲＸサイクル）の数、及び、上記リファレンス時間からスタートするＰＴＷ内の残りの時間量、のうちの少なくとも一方を、いかなる適したやり方で取得してもよい。１つの例として、ネットワークノード１１５は、少なくとも、あるリファレンス時間（Ｔ０）からスタートする第１のセルにおけるＰＴＷ内の残りのレガシーＤＲＸサイクル（即ち、ＤＲＸ２）の数であるパラメータＮ０を判定してもよい。他の例として、ネットワークノード１１５は、あるリファレンス時間（Ｔ０）からスタートする第１のセルにおけるＰＴＷ内の残りの時間（Ｔ１）を判定してもよい。時間Ｔ１は、Ｎ０個のＤＲＸ２を含んでもよい。
【００６７】
ネットワークノード１１５は、パラメータＮ０及び／又はＴ１をいかなる適したやり方で判定してもよい。例えば、ネットワークノード１１５は、ＰＴＷ内で構成されるＤＲＸ２に関連する情報に基づいて、パラメータＮ０及び／又はＴ１を判定してもよい。構成されるＤＲＸ２に関する情報は、いかなる適したやり方で判定されてもよい。例えば、構成されるＤＲＸ２に関する情報は、次のうちのいずれか１つ以上から判定されてもよい：ネットワークノード内に記憶されている、その時点で構成されているＤＲＸ２に関する情報；他のネットワークノードから受信される情報；及び、予め定義される情報又はルール（例えば、ＤＲＸ１とＤＲＸ２との間、ＤＲＸ１とＰＴＷとの間、及びＤＲＸ１とＤＲＸ２とＰＴＷとの間、のうちのいずれかの予め定義される関係に基づく）。
【００６８】
リファレンス時間パラメータＴ０は、次のうちのいずれか１つ以上であり得る：ネットワークノード１１５が第１のセルにおいてページングメッセージを送信することを決定する時点；ネットワークノード１１５が第１のセルでの無線インタフェース上での送信のためにコアネットワークノードからページングメッセージを受信した時点；及び、ネットワークノード１１５が第１のセルにおいてページングメッセージを実際に送信することを計画する時点又はその起点となる時点。
【００６９】
ネットワークノード１１５は、第１のセルにおけるリファレンス時間（Ｔ０）を基準としてＰＴＷ内の残りの第２のタイプのＤＲＸサイクルの数（例えば、Ｎ０）、及び、リファレンス時間（Ｔ０）からスタートするＰＴＷ内の残りの時間量（Ｔ１）、のうちの取得される上記少なくとも一方に基づいて、第１のセルにおいてページングメッセージを送信することができるかを判定する。ネットワークノード１１５は、第１のセルにおいてページングメッセージを送信することができるかを、いかなる適したやり方で判定してもよい。１つの例として、ネットワークノード１１５は、Ｎ０を閾値（Ｎｔ）と比較することにより、第１のセルにおいてページングメッセージを送信することができるかを判定してもよい。閾値Ｎｔは、いかなる適したやり方で定義されてもよい。例えば、閾値Ｎｔは、予め定義され、ネットワークノード１１５により自律的に判定され、又は、他のネットワークノードから受信されることができる。１つの非限定的な例として、Ｎｔの最小値は２であることができ、Ｎｔの典型的な値は３又は４であり得る。他の例として、ネットワークノード１１５は、さらに（又は代替的に）Ｔ１を時間閾値（Ｔｔ）と比較することにより、第１のセルにおいてページングメッセージを送信することができるかを判定してもよい。
【００７０】
いくつかのケースにおいて、ネットワークノード１１５は、自身の判定の結果に関してＵＥ１１０へ通知してもよい。例えば、ネットワークノード１１５は、暗黙的に又は明示的に、自身の決定を少なくとも１つの他のノード（例えば、無線又はケーブルといった任意のインタフェースを介し、ユニキャスト、マルチキャスト又はブロードキャストを介して、ネットワークノードや１つ以上のＵＥ）へ指し示し得る。
【００７１】
閾値（例えば、Ｎｔ、Ｔｔ）は、いかなる適した基準又は基準の組み合わせに基づいてもよい。１つの例として、Ｎｔ及びＴｔの値は、ＤＲＸ２長に基づいてもよい。いくつかのケースにおいて、より小さいＤＲＸ２の長さについてより大きいＮｔの値が使用されてもよく、より長いＤＲＸ２についてより大きいＴｔの値が使用されてもよい。Ｎｔの小さい方及び大きい方の値の例は、それぞれ２及び５である。ＤＲＸ２長の小さい方及び大きい方の値の例は、それぞれ４０ｍｓ及び６４０ｍｓである。他の例として、Ｎｔ及びＴｔの値は、セルサイズに基づいてもよい。いくつかのケースにおいて、より大きいＮｔ又はＴｔの値がより大きいセルにおいて使用されてもよく、より小さいＮｔ又はＴｔの値がより小さいセルにおいて使用されてもよい。また別の例として、Ｎｔ及びＴｔの値は、無線条件に基づいてもよい。いくつかのケースにおいて、より大きいＮｔ又はＴｔの値が困難な無線条件において使用されてもよく、より小さいＮｔ又はＴｔの値が好ましい無線条件において使用されてもよい。困難な無線条件の例は、例えば、次の場合を含む：ＵＥのドップラー周波数又は速度が閾値を上回る；遅延拡散が閾値よりも大きい、など。好ましい無線条件の例は、例えば、通常カバレッジレベルについて要件における条件を含み、一方で、困難な条件は、拡張カバレッジレベルについてのものであってよい。いくつかのケースにおいて、Ｎｔ及びＴｔの値は、上記の任意の適した組み合わせに基づいてもよい。
【００７２】
ある実施形態において、Ｎ０とＮｔとの間及び／又はＴ１とＴｔとの間の比較の結果に基づいて、ネットワークノード１１５は、少なくとも第１のセルにおいてページングメッセージを送信すべきか否かを判定する。ある実施形態において、ネットワークノード１１５は、少なくとも第１のセルにおいてページングメッセージを送信すべきか否かの上記判定に基づく１つ以上の動作を実行し又は遂行し得る。第１の例として、ネットワークノード１１５は、少なくともＮ０≧Ｎｔである場合に現行のＰＴＷにおいてページングメッセージを送信し得る。
【００７３】
第２の例として、少なくともＮ０≧Ｎｔである場合に、同じＰＴＷ内の利用可能な時間の間、ネットワークノード１１５は、当初送信したページングメッセージの１つ以上の冗長的なコピーをさらに送信し得る。例えば、リファレンス時間Ｔ０においてＮ０＝３且つＮｔ＝３であるものとする。この例では、ネットワークノード１１５は、Ｔ０の後のＤＲＸ２の最初の利用可能なＤＲＸ  ＯＮピリオドの期間中に最初のページングメッセージを送信し、ＤＲＸ２の次の連続する２回のＤＲＸ  ＯＮピリオドにおいて最初のページングメッセージの２つの冗長バージョンをも送信する。これが、転じて、当初のページングメッセージとそのページングメッセージの冗長バージョンとの合成のおかげで、ＵＥ１１０が同じＰＴＷ内でそのページングメッセージを高い確率及び信頼性で正確に受信できることを保証する。
【００７４】
第３の例として、ネットワークノード１１５は、Ｎ０≧Ｎｔ及びＴ１≧Ｔｔという条件のうちのいずれか１つ以上が満たされる場合に現行のＰＴＷにおいてページングメッセージを送信し得る。
【００７５】
第４の例として、Ｎ０≧Ｎｔ及びＴ１≧Ｔｔという条件のうちのいずれかが満たされる場合に、同じＰＴＷ内の利用可能な時間の間、ネットワークノード１１５は、当初送信したページングメッセージの１つ以上の冗長的なコピーをさらに送信し得る。これは、上の第３の例において説明したようなＵＥでのページングメッセージの受信の信頼性を強化することになる。
【００７６】
第５の例として、少なくともＮ０＜Ｎｔである場合に、ネットワークノード１１５は、現行のＰＴＷにおいてページングメッセージを送信しなくてよい。
【００７７】
第６の例として、少なくともＮ０＜Ｎｔである場合に、ネットワークノード１１５は、現行のＰＴＷにおいてページングメッセージを送信しなくてよく、代わりに、ページングメッセージの送信をｅＤＲＸサイクル長の将来の生起のＰＴＷ（例えば、次のＰＴＷ）まで延期し得る。
【００７８】
第７の例として、少なくともＮ０＜Ｎｔ且つＴ１＜Ｔｔである場合に、ネットワークノード１１５は、現行のＰＴＷにおいてページングメッセージを送信しなくてよい。
【００７９】
第８の例として、Ｎ０＜Ｎｔ且つＴ１＜Ｔｔである場合に、ネットワークノード１１５は、現行のＰＴＷにおいてページングメッセージを送信しなくてよく、代わりに、ページングメッセージの送信をｅＤＲＸサイクル長の将来の生起のＰＴＷ（例えば、次のＰＴＷ）まで延期し得る。
【００８０】
第９の例として、少なくともＮ０＜Ｎｔである場合に、ネットワークノード１１５は、現行のＰＴＷにおいてページングメッセージを送信しなくてよい。
【００８１】
第１０の例として、少なくともＮ０＜Ｎｔである場合に、ネットワークノード１１５は、十分にロバストなあるトランスポートフォーマット（ＴＦ）でメッセージを符号化することにより、現行のＰＴＷにおいてページングメッセージを送信してもよい。例えば、トランスポートブロック又はデータブロックは、閾値（例えば、Ｑ１６ＱＡＭ）を下回る変調次数（例えば、ＱＰＳＫ）を伴うトランスポートフォーマットで、及び／又は閾値を下回る（例えば、１／２を下回る）符号化レートで送信されてもよい。ロバストなＴＦは、ＵＥ１１０が１回又はより少ない回数の送信試行でページングメッセージを受信できることを保証する。
【００８２】
第１１の例として、少なくともＮ０＜Ｎｔである場合に、ネットワークノード１１５は、ある閾値を上回る（例えば、Ｎ０≧Ｎｔの場合よりも３ｄＢ高い）送信電力で現行のＰＴＷにおいてページングメッセージを送信してもよい。より高い送信電力（即ち、ブーストされたＴｘ電力）は、ＵＥ１１０が１回又はより少ない回数の送信試行でページングメッセージを受信できることを保証する。
【００８３】
第１２の例として、ネットワークノード１１５は、ページングメッセージを送信できない場合（例えば、Ｎ０＜Ｎｔの場合）、ＵＥのＤＲＸ動作に関連する１つ以上のパラメータを適応させてもよい。そうしたパラメータの例は、限定ではないものの、ＤＲＸ１、ＤＲＸ２及びＰＴＷを含む。非限定的な１つの例として、ネットワークノード１１５は、ＤＲＸ２の長さを短縮してもよい。これは、パラメータＮ０の値をより大きい値（即ち、Ｎ０´＞Ｎ０且つＮ０´≧Ｎｔとして、Ｎ０´）へ増加させることになる。これにより、ネットワークノード１１５が同一のＰＴＷ内でページングメッセージ及び当初のページングメッセージの１つ以上のコピーをＵＥ１１０へ送信することが可能になるであろう。
【００８４】
第１３の例として、ネットワークノード１１５が、ページングメッセージをＰＴＷの外側で送信してもよい。例えば、ネットワークノード１１５は、ＰＴＷの前又は後にページングメッセージを送信してもよい。
【００８５】
いくつかのケースにおいて、ネットワークノード１１５は、ＤＲＸ１、ＤＲＸ２及びＰＴＷのうちのいずれか１つ以上の適応的な値を、いかなる適したやり方でＵＥ１１０へ通知してもよい。暗黙的に又は明示的に少なくとも１つの他のノード（例えば、無線又はケーブルといった任意のインタフェースを介し、ユニキャスト、マルチキャスト又はブロードキャストを介して、ネットワークノードや１つ以上のＵＥ）へ結果としての構成を指し示すこと。例えば、ネットワークノード１１５は、ＤＲＸ１、ＤＲＸ２及びＰＴＷのうちのいずれか１つ以上の適応的な値を、制御チャネル（例えば、ＰＤＣＣＨ、Ｍ−ＰＤＣＣＨ）においてＵＥ１１０へ通知してもよい。いくつかのケースでは、適応的なパラメータの２つ以上のセットが、上位レイヤ（例えば、ＲＲＣ）により予め定義され又はＵＥ１１０において事前に構成されてもよい。そうしたシナリオにおいて、ネットワークノード１１５は、パラメータの適応的なセットのうちのその時点で適応済みのセットの識別子を送信するだけでよい。
【００８６】
１つの例示的な実施形態によれば、ネットワークノード１１５は、ＰＴＷの終了よりも少なくともある時間Ｔだけ前にページングメッセージを送信することを要してもよく又はそうした送信を予期してもよく、又はそれは少なくともＤＲＸサイクルＮ個分（例えば、Ｎ＝２。これは１回目の送信及び２つの反復／冗長性バージョンを包含し得る）であってもよい。これがＵＥの要件についての条件として仕様化されてもよい（例えば、ＵＥ１１０は、ｅＤＲＸアイドル（eDRX_IDLE）サイクルと共に構成される場合、ＰＴＷの終了よりも少なくともＤＲＸサイクル［Ｎ回分］前にページングが送信されるものとして、ＰＴＷ内のどのページングも逸失しないものとする）。
【００８７】
ある実施形態において、ｅＤＲＸ動作下でのページングの信頼性のある受信のための、ワイヤレスデバイス１１０（又はＵＥ１１０）における方法が開示される。上述したように、ＵＥ１１０は、第１のセルにおいて構成される第１のタイプのＤＲＸサイクル内のＰＴＷの長さを取得する。第１のタイプのＤＲＸは、ｅＤＲＸであってよい。そうしたシナリオにおいて、ＵＥ１１０は、少なくとも第１のセルにおいて構成されるｅＤＲＸサイクルに関連付けられるＰＴＷの長さを取得する。ＵＥ１１０は、ｅＤＲＸサイクルに関連付けられるＰＴＷの長さを、いかなる適したやり方で取得してもよい。１つの例として、ＵＥ１１０は、構成済みのｅＤＲＸサイクルに関連する情報を自身のメモリから取り出すことにより、第１のタイプのＤＲＸサイクル内のＰＴＷの長さを判定してもよい。他の例として、ＵＥ１１０は、ネットワークノード１１５から構成済みのｅＤＲＸサイクルに関連する情報を（例えば、第１のセルにおいて構成されるｅＤＲＸサイクルに関連する情報の一部として）受信してもよい。また別の例において、ＵＥ１１０は、他のＵＥから構成済みのｅＤＲＸサイクルに関連する情報を受信してもよい。
【００８８】
上述したように、ＰＴＷ長に関連する情報は、いかなる適した情報を含んでもよい。例えば、ＰＴＷ長に関連する情報は、次のうちの１つ以上を含み得る：ＰＴＷの時間での長さ（例えば、Ｘｍｓ、Ｙ秒、Ｚサブフレームなど）；第２のタイプのＤＲＸサイクル（例えば、レガシーＤＲＸサイクル）の数（即ち、ＤＲＸ２の数）（例えば、Ｚ個のＤＲＸ２、各々長さ８０（即ち、Ｚ×８０ｍｓ））；ｅＤＲＸサイクル長を基準としたＰＴＷ時間長のパーセンテージ又は比（例えば、ＰＴＷ時間長／ｅＤＲＸサイクル長）。
【００８９】
ＵＥ１１０は、第１のセルにおけるリファレンス時間を基準としてＰＴＷ内の残りの第２のタイプのＤＲＸサイクルの数、及び、リファレンス時間からスタートするＰＴＷ内の残りの時間量、のうちの少なくとも一方を取得する。第２のタイプのＤＲＸは、レガシーＤＲＸであってよい。そうしたシナリオにおいて、第２のタイプのＤＲＸサイクルは、第１のタイプの不連続受信サイクルよりも短い。
【００９０】
ＵＥ１１０は、第１のセルにおけるリファレンス時間を基準としてＰＴＷ内の残りの第２のタイプのＤＲＸサイクルの数、及び、リファレンス時間からスタートするＰＴＷ内の残りの時間量、のうちの上記少なくとも一方を、いかなる適したやり方で取得してもよい。１つの例として、ＵＥ１１０は、あるリファレンス時間（Ｔ０）からスタートする第１のセルにおけるＰＴＷ内の残りのレガシーＤＲＸサイクル（即ち、ＤＲＸ２）の数（Ｎ０）を判定してもよい。他の例として、ＵＥ１１０は、（追加的に又は代替的に）あるリファレンス時間（Ｔ０）からスタートするセルにおけるＰＴＷ内の残りの時間（Ｔ１）を判定してもよい。時間Ｔ１は、Ｎ０個のＤＲＸ２を含んでもよい。
【００９１】
ＵＥ１１０は、パラメータＮ０及び／又はＴ１をいかなる適した基準に基づいて判定してもよい。例えば、ＵＥ１１０は、ＰＴＷ内で構成されるＤＲＸ２に関連する情報に基づいて、パラメータＮ０及び／又はＴ１を判定してもよい。構成されるＤＲＸ２に関する情報は、いかなる適したやり方で判定されてもよい。例えば、ＵＥ１１０は、ＵＥ１１０内に記憶されているその時点で構成済みの（例えば、履歴情報といった過去に構成済みの）ＤＲＸ２に関する情報に基づいて、構成されるＤＲＸ２に関する情報を判定してもよい。他の例として、ＵＥ１１０は、ネットワークノード１１５から受信される情報に基づいて、構成されるＤＲＸ２に関する情報を判定してもよい。また別の例として、ＵＥ１１０は、他のＵＥから受信される情報に基づいて、構成されるＤＲＸ２に関する情報を判定してもよい。さらに別の例として、ＵＥ１１０は、予め定義される情報に基づいて、構成されるＤＲＸ２に関する情報を判定してもよい（例えば、ＤＲＸ１とＤＲＸ２との間、ＤＲＸ１とＰＴＷとの間、及びＤＲＸ１とＤＲＸ２とＰＴＷとの間、のうちのいずれかの予め定義される関係に基づく）。
【００９２】
リファレンス時間パラメータＴ０は、いかなる適したやり方で定義されることもできる。１つの例として、リファレンス時間パラメータＴ０は、ネットワークノード１１５が第１のセルにおいてページングメッセージを送信し得る時点であり得る。他の例として、リファレンス時間パラメータＴ０は、ＵＥが第１のセルにおいて同一のＰＴＷ内でページングメッセージの受信を予期し得る時点又はその起点となる時点であり得る・
【００９３】
ＵＥ１１０は、第１のセルにおけるリファレンス時間を基準としてＰＴＷ内の残りの第２のタイプのＤＲＸサイクルの数、及び、リファレンス時間からスタートするＰＴＷ内の残りの時間量、のうちの取得される少なくとも一方に基づいて、第１のセルにおいてページングメッセージが受信されるものと予期されるかを判定する。ＵＥ１１０は、ページングメッセージが受信されるものと予期されるかを、いかなる適したやり方で判定してもよい。１つの例として、ＵＥ１１０は、Ｎ０を閾値（Ｎｔ）と比較することにより、ページングメッセージが受信されるものと予期されるかを判定してもよい。閾値Ｎｔは、予め定義され、ネットワークノード１１５から受信され、又は他のＵＥから受信されることができる。ある実施形態において、Ｎｔの最小値は２であり得る。Ｎｔの典型的な値は、３又は４であり得る。他の例として、ＵＥは、さらに又は代替的に、Ｔ１を時間閾値（Ｔｔ）と比較してもよい。
【００９４】
ある実施形態において、ＵＥ１１０は、リファレンス時間（Ｔ０）から始まり現行のＰＴＷの終了までに少なくとも第１のセルから１つ以上のページングメッセージを受信することになるか否かを、上記比較に基づいて判定してもよい。ＵＥ１１０は、ネットワークノード１１５に関して上述した例１〜１３に従って、同じＰＴＷ内でページングメッセージ及び上記数の冗長的なページングメッセージをも受信することになるか否かを判定してもよい。例えば、ある実施形態において、ＵＥ１１０は、Ｎ０が閾値（Ｎｔ）以上である場合にページングメッセージが第１のセルにおいて受信されるものと予期されると判定してもよく、そうでない場合には、そのＰＴＷにおいてページングメッセージが受信されないか、又は少なくとも閾値（ＴＦｔ）よりもロバストなトランスポートフォーマットで符号化されたページングメッセージが受信されると判定してもよい。他の例として、ＵＥ１１０は、例えばＰＴＷの外までページングの受信を拡張することにより、ＰＴＷの外側（例えば、ＰＴＷの前又は後）で少なくとも１つのページングメッセージを受信してもよい。
【００９５】
ある実施形態において、ＵＥ１１０が１つ以上のページングメッセージを受信し得ると上記比較に基づいて判定される場合（例えば、Ｎ０≧Ｎｔの場合）に、ＵＥ１１０は、ページングメッセージを受信できるように自身の受信機を調整してもよい（例えば、少なくとも１つのセル１からページングメッセージを受信し及び処理するためのメモリリソース及び処理リソースを確保し又は一時的に割り当てる）。
【００９６】
一方で、ＵＥ１１０がページングメッセージを受信するものと予期されないと上記比較に基づいて判定される場合（例えば、Ｎ０＜Ｎｔの場合）に、ＵＥ１１０は、ページングを受信し及び処理するための自身のメモリリソース及び処理リソースを一時的に割り当せず又は予約しなくてよい。代わりに、ＵＥ１１０は、自身のメモリリソース及び処理リソースを他のタスクのために使用してよい（例えば、無線測定、以前に受信したデータの処理、ＵＥバッテリ電力を節約するためのベースバンド処理の部分的なターンオフなど）。
【００９７】
例示的な実施形態によれば、ＵＥ１１０は、ＰＴＷの終了よりも少なくともある時間Ｔ前又はＤＲＸサイクルＮ個分前にページングが送信されるものとして、そのＰＴＷ内で全てのページングメッセージを受信すること（即ち、どのページングをも逸失しないこと）を要してもよい。例えば、Ｎ＝２であれば、これは（当初の送信としても知られる）１回目の１つの送信及び２つの再送（ページングメッセージの冗長性バージョン）を包含し得る。そうしたシナリオにおいて、ＵＥ１１０は、自身の振る舞いを適応的に調整することになるであろう（例えば、ＰＴＷの終了のＤＲＸサイクルＮ個分前よりも遅くページングを受信しないものと予期してもよく、少なくとも１つの何らかの予め定義される条件が無ければページングを成功裏に受信しなければならないであろう）。これは、特に初回の送信が正確に復号されない場合に、その初回のページング送信に対応する後続のページング再送を合成できるように、ＵＥ１１０が初回のページング送信を記憶することをも要するはずである。一方で、ＵＥ１１０は、初回のページング送信が正確に復号されず且つＰＴＷの終了の少なくともＴ前又はＤＲＸサイクルＮ個分前に受信されない場合、初回のページング送信を記憶しないことを決定してもよい。同時に、ネットワークノード１１５は、ＵＥ１１０がページングを予期する時のページングの利用可能性を保証しなければならないはずである（上述したネットワークノードの実施形態をも参照）。
【００９８】
図７は、ある実施形態に係るネットワークノードにおける方法７００のフローチャートである。方法７００は、ステップ７０４において開始し、ネットワークノードは、第１のセルにおいて構成される第１のタイプの不連続受信サイクル内のページング送信ウィンドウの長さを取得する。ある実施形態において、第１のタイプの不連続受信は、拡張された不連続受信であってよい。
【００９９】
ステップ７０８において、ネットワークノードは、第１のセルにおけるリファレンス時間を基準としてページング送信ウィンドウ内の残りの第２のタイプの不連続受信サイクルの数、及び、リファレンス時間からスタートするページング送信ウィンドウ内の残りの時間量、のうちの少なくとも一方を取得し、第２のタイプの不連続受信サイクルは第１のタイプの不連続受信サイクルよりも短い。ある実施形態において、第２のタイプの不連続受信は、レガシーの不連続受信であってよい。
【０１００】
ステップ７１２において、ネットワークノードは、第１のセルにおけるリファレンス時間を基準としてページング送信ウィンドウ内の残りの第２のタイプの不連続受信サイクルの上記数、及び、リファレンス時間からスタートするページング送信ウィンドウ内の残りの上記時間量、のうちの取得される上記少なくとも一方に基づいて、第１のセルにおいてページングメッセージを送信することができるかを判定する。ある実施形態において、方法は、上記判定の結果を少なくとも１つの他のノードへ指し示すこと、を含んでもよい。
【０１０１】
ある実施形態において、上記方法は、ページング送信ウィンドウ内の残りの第２のタイプの不連続受信サイクルの上記数が閾値以上であること、及び、リファレンス時間からスタートするページング送信ウィンドウ内の残りの上記時間量が時間閾値以上であること、のうちの少なくとも一方を判定することに応じて、第１のセルにおいてページングメッセージを送信すること、を含んでもよい。上記方法は、送信されるページングメッセージの１つ以上の冗長的なコピーを送信すること、を含んでもよい。
【０１０２】
ある実施形態において、上記方法は、ページング送信ウィンドウ内の残りの第２のタイプの不連続受信サイクルの上記数が閾値未満であるとの判定に応じて、ページング送信ウィンドウにおいてページングメッセージを送信しないことと、後続のページング送信ウィンドウまでページングメッセージの送信を延期することと、ページング送信ウィンドウにおいて、トランスポートフォーマット閾値よりもロバストなトランスポートフォーマットでページングメッセージを送信することと、ページング送信ウィンドウにおいて、送信電力閾値を上回る送信電力でページングメッセージを送信することと、のうちの１つを実行すること、を含んでもよい。
【０１０３】
ある実施形態において、上記方法は、ページング送信ウィンドウの外側で少なくとも１つのページングメッセージを送信すること、を含んでもよい。
【０１０４】
ある実施形態において、上記方法は、第１のセルにおいてページングメッセージを送信することができないという判定に応じて、ページング送信ウィンドウ、第１のタイプの不連続受信サイクル、及び、第２のタイプの不連続受信サイクル、のうちの１つ以上を適応させること、を含んでもよい。上記方法は、適応の結果としてのページングメッセージについての構成を少なくとも１つの他のノードへ指し示すこと、を含んでもよい。
【０１０５】
図８は、ある実施形態に係るワイヤレスデバイスにおける方法８００のフローチャートである。方法８００は、ステップ８００４において開始し、ワイヤレスデバイスは、第１のセルにおいて構成される第１のタイプの不連続受信サイクル内のページング送信ウィンドウの長さを取得する。ある実施形態において、第１のタイプの不連続受信は、拡張された不連続受信であってよい。
【０１０６】
ステップ８０８において、ワイヤレスデバイスは、第１のセルにおけるリファレンス時間を基準としてページング送信ウィンドウ内の残りの第２のタイプの不連続受信サイクルの数、及び、リファレンス時間からスタートするページング送信ウィンドウ内の残りの時間量、のうちの少なくとも一方を取得し、第２のタイプの不連続受信サイクルは第１のタイプの不連続受信サイクルよりも短い。ある実施形態において、第２のタイプの不連続受信は、レガシーの不連続受信であってよい。
【０１０７】
ステップ８１２において、ワイヤレスデバイスは、第１のセルにおけるリファレンス時間を基準としてページング送信ウィンドウ内の残りの第２のタイプの不連続受信サイクルの上記数、及び、リファレンス時間からスタートするページング送信ウィンドウ内の残りの上記時間量、のうちの取得される上記少なくとも一方に基づいて、第１のセルにおいてページングメッセージが受信されるものと予期されるかを判定する。
【０１０８】
ある実施形態において、上記方法は、ページング送信ウィンドウの外側で少なくとも１つのページングメッセージを受信すること、を含んでもよい。
【０１０９】
ある実施形態において、上記方法は、第１のセルにおいてページングメッセージが受信されるものと予期されるという判定に応じて、１つ以上の受信機特性を調整してページングメッセージの受信を促進すること、を含んでもよい。上記方法は、ページング送信ウィンドウの期間中に受信されるものと予期される冗長的なページングメッセージの数を判定すること、を含んでもよい。上記方法は、ページングメッセージを受信することと、受信されるページングメッセージを１つ以上の後続して受信される冗長的なページングメッセージとの合成のために記憶することと、を含んでもよい。
【０１１０】
ある実施形態において、上記方法は、ページング送信ウィンドウ内の残りの第２のタイプの不連続受信サイクルの上記数が閾値以上である場合、又は、リファレンス時間からスタートするページング送信ウィンドウ内の残りの上記時間量が時間閾値以上である場合に、第１のセルにおいてページングメッセージが受信されるものと予期されると判定すること、を含んでもよい。上記ワイヤレスデバイスは、ページングメッセージと、ページング送信ウィンドウの終了よりも予め定義される時間ピリオド前、及びページング送信ウィンドウの終了よりも第２のタイプの予め定義される不連続受信サイクル数前、のうちの少なくとも一方よりも前に送信される場合に、ページングメッセージの１つ以上の冗長的な送信とを受信することを要してもよい。
【０１１１】
ある実施形態において、上記方法は、ページングウィンドウ内の残りの第２のタイプの不連続受信サイクルの上記数が閾値未満である場合に、ページングメッセージが受信されるものと予期されないと判定すること、を含んでもよい。ある実施形態において、上記方法は、ページングウィンドウ内の残りの第２のタイプの不連続受信サイクルの上記数が閾値未満である場合に、トランスポートフォーマット閾値よりもロバストなトランスポートフォーマットを用いてページングメッセージが受信されるものと予期されると判定すること、を含んでもよい。
【０１１２】
図９は、ある実施形態に係る例示的なワイヤレスデバイス１１０の概略ブロック図である。ワイヤレスデバイス１１０は、セルラー又はモバイル通信システムにおいてノード及び／又は他のワイヤレスデバイスと通信するいかなるタイプのワイヤレスデバイスへの言及であってもよい。ワイヤレスデバイス１１０の例は、モバイルフォン、スマートフォン、ＰＤＡ（Personal  Digital  Assistant）、ポータブルコンピュータ（例えば、ラップトップ、タブレット）、センサ、アクチュエータ、モデム、ＭＴＣ（machine-type-communication）デバイス／Ｍ２Ｍ（machine-to-machine）デバイス、ＬＥＥ（laptop  embedded  equipment）、ＬＭＥ（laptop  mounted  equipment）、ＵＳＢドングル、Ｄ２Ｄ対応型デバイス、又はワイヤレス通信を提供可能な他のデバイスを含む。また、ワイヤレスデバイス１１０は、いくつかの実施形態では、ＵＥ、ステーション（ＳＴＡ）、デバイス又は端末への言及であってもよい。ワイヤレスデバイス１１０は、送受信機９１０、処理回路９２０、及びメモリ９３０を含む。いくつかの実施形態において、送受信機９１０は、ネットワークノード１１５との間の（例えば、アンテナを介する）ワイヤレス信号の送信及び受信を促進し、処理回路９２０は、ワイヤレスデバイス１１０により提供されるものとして上で説明した機能性のいくつか又は全てを提供するための命令を実行し、メモリ９３０は、処理回路９２０により実行される命令を記憶する。
【０１１３】
処理回路９２０は、図１〜図８に関連して上で説明したワイヤレスデバイス１１０の機能など、ワイヤレスデバイス１１０の説明した機能のいくつか又は全てを実行するために命令を実行しデータを操作する１つ以上のモジュールとして実装される、ハードウェア及びソフトウェアのいかなる適した組み合わせを含んでもよい。いくつかの実施形態において、処理回路９２０は、例えば、１つ以上のコンピュータ、１つ以上のＣＰＵ（central  processing  units）、１つ以上のマイクロプロセッサ、１つ以上のアプリケーション、１つ以上のＡＳＩＣ（application  specific  integrated  circuits）、１つ以上のＦＰＧＡ（field  programmable  gate  arrays）及び／又は他のロジックを含んでよい。
【０１１４】
メモリ９３０は、概して、コンピュータプログラムなどの命令、ソフトウェア、１つ以上のロジックを含むアプリケーション、ルール、アルゴリズム、コード、テーブルなど、及び／又は処理回路９２０により実行可能な他の命令を記憶するように動作可能である。メモリ９３０の例は、コンピュータメモリ（例えば、ＲＡＭ（Random  Access  Memory）若しくはＲＯＭ（Read  Only  Memory））、マスストレージメディア（例えば、ハードディスク）、取外し可能な記憶媒体（例えば、ＣＤ（Compact  Disk）若しくはＤＶＤ（Digital  Video  Disk））、並びに／又は、何らかの他の揮発性若しくは不揮発性の非一時的なコンピュータ読取可能な及び／若しくはコンピュータ実行可能なメモリデバイスであって、処理回路９２０により使用され得る情報、データ、及び／若しくは命令を記憶する当該メモリデバイスを含む。
【０１１５】
ワイヤレスデバイス１１０の他の実施形態は、ワイヤレスデバイスの機能性のある観点を提供することを担当し得る、図９に示したもの以外の追加的なコンポーネントを含んでもよく、それらは、上述した機能性のいずれか及び／又は何らかの追加的な機能性を含む（上述した解決策をサポートするために必要な何らかの機能性を含む）。単なる１つの例として、ワイヤレスデバイス１１０は、入力デバイス及び回路、出力デバイス、並びに、１つ以上の同期ユニット又は回路を含んでもよく、それらは処理回路９２０の一部であってもよい。入力デバイスは、ワイヤレスデバイス１１０へのデータの入力のための仕組みを含んでもよい。例えば、入力デバイスは、マイクロフォン、入力エレメント、ディスプレイなどといった入力の仕組みを含んでもよい。出力デバイスは、音声、映像及び／又はハードコピーフォーマットでデータを出力するための仕組みを含んでもよい。例えば、出力デバイスは、スピーカ、ディスプレイなどを含んでもよい。
【０１１６】
図１０は、ある実施形態に係る例示的なネットワークノード１１５の概略ブロック図である。ネットワークノード１１５は、ＵＥ及び／又は他のネットワークノードと通信するいかなるタイプの無線ネットワークノードであってもよく、又はいかなるネットワークノードであってもよい。ネットワークノード１１５の例は、ｅＮｏｄｅＢ、ノードＢ、基地局、ワイヤレスアクセスポイント（例えば、Ｗｉ−Ｆｉアクセスポイント）、低電力ノード、基地送受信局（ＢＴＳ）、リレー、リレーを制御するドナーノード、送信ポイント、送信ノード、ＲＲＵ（remote  RF  unit）、ＲＲＨ（remote  radio  head）、ＭＳＲ（multi-standard  radio）ＢＳといったＭＳＲ無線ノード、ＤＡＳ（distributed  antenna  system）におけるノード、Ｏ＆Ｍ、ＯＳＳ、ＳＯＮ、測位ノード（例えば、Ｅ−ＳＭＬＣ）、ＭＤＴ、又は任意の他の適したネットワークノードを含む。ネットワークノード１１５は、ホモジーニアス配備、ヘテロジーニアス配備、又は混成型の配備として、ネットワーク１００を通じて配備され得る。ホモジーニアス配備は、概して、同じ（又は類似の）タイプのネットワークノード１１５並びに／又は類似のカバレッジ、セルサイズ及びサイト間距離からなる配備の説明であり得る。ヘテロジーニアス配備は、概して、異なるセルサイズ、送信電力、キャパシティ及びサイト間距離を有する多様なタイプのネットワークノード１１５を用いる配備の説明であり得る。例えば、ヘテロジーニアス配備は、マクロセルレイアウトを通じて配置される複数の低電力ノードを含んでもよい。混成型の配備は、ホモジーニアスな部分とヘテロジーニアスな部分との混成を含み得る。
【０１１７】
ネットワークノード１１５は、１つ以上の送受信機１０１０、処理回路１０２０、メモリ１０３０及びネットワークインタフェース１０４０を含み得る。いくつかの実施形態において、送受信機１０１０は、ワイヤレスデバイス１１０との間の（例えば、アンテナ１０５０を介する）ワイヤレス信号の送信及び受信を促進し、処理回路１０２０は、ネットワークノード１１５により提供されるものとして上で説明した機能性のいくつか又は全てを提供するための命令を実行し、メモリ１０３０は、処理回路１０２０により実行される命令を記憶し、ネットワークインタフェース１０４０は、バックエンドのネットワークコンポーネントへ信号を通信し、バックエンドのネットワークコンポーネントとは、ゲートウェイ、スイッチ、ルータ、インターネット、ＰＳＴＮ（Public  Switched  Telephone  Network）、コアネットワークノード又は無線ネットワークコントローラ１３０などである。
【０１１８】
処理回路１０２０は、図１〜図８に関連して上で説明したものなど、ネットワークノード１１５の説明した機能のいくつか又は全てを実行するために命令を実行しデータを操作する１つ以上のモジュールとして実装される、ハードウェア及びソフトウェアのいかなる適した組み合わせを含んでもよい。いくつかの実施形態において、処理回路１０２０は、例えば、１つ以上のコンピュータ、１つ以上のＣＰＵ（central  processing  units）、１つ以上のマイクロプロセッサ、１つ以上のアプリケーション及び／又は他のロジックを含んでよい。
【０１１９】
メモリ１０３０は、概して、コンピュータプログラムなどの命令、ソフトウェア、１つ以上のロジックを含むアプリケーション、ルール、アルゴリズム、コード、テーブルなど、及び／又は処理回路１０２０により実行可能な他の命令を記憶するように動作可能である。メモリ１０３０の例は、コンピュータメモリ（例えば、ＲＡＭ（Random  Access  Memory）若しくはＲＯＭ（Read  Only  Memory））、マスストレージメディア（例えば、ハードディスク）、取外し可能な記憶媒体（例えば、ＣＤ（Compact  Disk）若しくはＤＶＤ（Digital  Video  Disk））、並びに／又は、何らかの他の揮発性若しくは不揮発性の非一時的なコンピュータ読取可能な及び／若しくはコンピュータ実行可能な、情報を記憶するメモリデバイスを含む。
【０１２０】
いくつかの実施形態において、ネットワークインタフェース１０４０は、処理回路１０２０へ通信可能に連結され、ネットワークノード１１５向けの入力を受信し、ネットワークノード１１５からの出力を送信し、入力、出力若しくは双方の適した処理を実行し、他のデバイスへの通信を行い、又はそれら処理の任意の組み合わせを行う、ように動作可能ないかなる適したデバイスへの言及であってもよい。ネットワークインタフェース１０４０は、ネットワークを通じて通信するためのプロトコル変換及びデータ処理のケイパビリティを含む、適切なハードウェア（例えば、ポート、モデム、ネットワークインタフェースカードなど）とソフトウェアとを含み得る。
【０１２１】
ネットワークノード１１５の他の実施形態は、無線ネットワークノードの機能性のある観点を提供することを担当し得る、図１０に示したもの以外の追加的なコンポーネントを含んでもよく、それらは、上述した機能性のいずれか及び／又は何らかの追加的な機能性を含む（上述した解決策をサポートするために必要な何らかの機能性を含む）。異なる多様なタイプのネットワークノードが、同一の物理ハードウェアを有するコンポーネントを含みつつも（例えば、プログラミングを介して）異なる無線アクセス技術をサポートするように構成されてもよく、又は部分的に若しくは全体として異なる物理コンポーネントを表現してもよい。
【０１２２】
図１１は、ある実施形態に係る例示的な無線ネットワークコントローラ又はコアネットワークノード１３０の概略ブロック図である。ネットワークノードの例は、ＭＳＣ（mobile  switching  center）、ＳＧＳＮ（serving  GPRS  support  node）、ＭＭＥ（mobility  management  entity）、ＲＮＣ（radio  network  controller）及びＢＳＣ（base  station  controller）などを含み得る。無線ネットワークコントローラ又はコアネットワークノード１３０は、処理回路１１２０、メモリ１１３０及びネットワークインタフェース１１４０を含む。いくつかの実施形態において、処理回路１１２０は、当該ネットワークノードにより提供されるものとして上で説明した機能性のいくつか又は全てを提供するための命令を実行し、メモリ１１３０は、処理回路１１２０により実行される命令を記憶し、ネットワークインタフェース１１４０は、ゲートウェイ、スイッチ、ルータ、インターネット、ＰＳＴＮ（Public  Switched  Telephone  Network）、ネットワークノード１１５、無線ネットワークコントローラ又はコアネットワークノード１３０といった任意の適したノードへ信号を通信する。
【０１２３】
処理回路１１２０は、無線ネットワークコントローラ又はコアネットワークノード１３０の説明した機能のいくつか又は全てを実行するために命令を実行しデータを操作する１つ以上のモジュールとして実装される、ハードウェア及びソフトウェアのいかなる適した組み合わせを含んでもよい。いくつかの実施形態において、処理回路１１２０は、例えば、１つ以上のコンピュータ、１つ以上のＣＰＵ（central  processing  units）、１つ以上のマイクロプロセッサ、１つ以上のアプリケーション及び／又は他のロジックを含んでよい。
【０１２４】
メモリ１１３０は、概して、コンピュータプログラムなどの命令、ソフトウェア、１つ以上のロジックを含むアプリケーション、ルール、アルゴリズム、コード、テーブルなど、及び／又は処理回路１１２０により実行可能な他の命令を記憶するように動作可能である。メモリ１１３０の例は、コンピュータメモリ（例えば、ＲＡＭ（Random  Access  Memory）若しくはＲＯＭ（Read  Only  Memory））、マスストレージメディア（例えば、ハードディスク）、取外し可能な記憶媒体（例えば、ＣＤ（Compact  Disk）若しくはＤＶＤ（Digital  Video  Disk））、並びに／又は、何らかの他の揮発性若しくは不揮発性の非一時的なコンピュータ読取可能な及び／若しくはコンピュータ実行可能な、情報を記憶するメモリデバイスを含む。
【０１２５】
いくつかの実施形態において、ネットワークインタフェース１１４０は、処理回路１１２０へ通信可能に連結され、当該ネットワークノード向けの入力を受信し、当該ネットワークノードからの出力を送信し、入力、出力若しくは双方の適した処理を実行し、他のデバイスへの通信を行い、又はそれら処理の任意の組み合わせを行う、ように動作可能ないかなる適したデバイスへの言及であってもよい。ネットワークインタフェース１１４０は、ネットワークを通じて通信するためのプロトコル変換及びデータ処理のケイパビリティを含む、適切なハードウェア（例えば、ポート、モデム、ネットワークインタフェースカードなど）とソフトウェアとを含み得る。
【０１２６】
ネットワークノードの他の実施形態は、当該ネットワークノードの機能性のある観点を提供することを担当し得る、図１１に示したもの以外の追加的なコンポーネントを含んでもよく、それらは、上述した機能性のいずれか及び／又は何らかの追加的な機能性を含む（上述した解決策をサポートするために必要な何らかの機能性を含む）。
【０１２７】
図１２は、ある実施形態に係る例示的なワイヤレスデバイスの概略ブロック図である。ワイヤレスデバイス１１０は、１つ以上のモジュールを含み得る。例えば、ワイヤレスデバイス１１０は、判定モジュール１２１０、通信モジュール１２２０、受信モジュール１２３０、入力モジュール１２４０、表示モジュール１２５０及び何らかの他の適したモジュール群を含み得る。いくつかの実施形態において、判定モジュール１２１０、通信モジュール１２２０、受信モジュール１２３０、入力モジュール１２４０、表示モジュール１２５０又は何らかの他の適したモジュール群のうちの１つ以上は、図９に関連して上述した処理回路９２０といった１つ以上のプロセッサを用いて実装されてもよい。ある実施形態において、多様なモジュールのうちの２つ以上の機能が単一のモジュールへ組み合わせられてもよい。ワイヤレスデバイス１１０は、図１〜図８に関して上述したＵＥ  ｅＤＲＸ下での信頼性のあるページング送信のための方法を実行し得る。
【０１２８】
判定モジュール１２１０は、ワイヤレスデバイス１１０の処理機能を実行し得る。１つの例として、判定モジュール１２１０は、第１のセルにおいて構成される第１のタイプの不連続受信サイクル内のページング送信ウィンドウの長さを取得し得る。他の例として、判定モジュール１２１０は、第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得し得る。第２のタイプの不連続受信サイクルは、第１のタイプの不連続受信サイクルよりも短い。また別の例として、判定モジュール１２１０は、第１のセルにおける上記リファレンス時間を基準として上記ページング送信ウィンドウ内の残りの第２のタイプの不連続受信サイクルの上記数、及び、上記リファレンス時間からスタートする上記ページング送信ウィンドウ内の残りの上記時間量、のうちの取得される上記少なくとも一方に基づいて、第１のセルにおいてページングメッセージが受信されるものと予期されるかを判定し得る。また別の例として、判定モジュール１２１０は、第１のセルにおいて上記ページングメッセージが受信されるものと予期されるという判定に応じて、１つ以上の受信機特性を調整して上記ページングメッセージの受信を促進し得る。他の例として、判定モジュール１２１０は、上記ページング送信ウィンドウの期間中に受信されるものと予期される冗長的なページングメッセージの数を判定し得る。他の例として、判定モジュール１２１０は、受信される上記ページングメッセージを１つ以上の後続して受信される冗長的なページングメッセージとの合成のために記憶し得る。
【０１２９】
他の例として、判定モジュール１２１０は、上記ページング送信ウィンドウ内の残りの第２のタイプの不連続受信サイクルの上記数が閾値以上である場合、又は、上記リファレンス時間からスタートする上記ページング送信ウィンドウ内の残りの上記時間量が時間閾値以上である場合に、第１のセルにおいて上記ページングメッセージが受信されるものと予期されると判定し得る。他の例として、判定モジュール１２１０は、上記ページングウィンドウ内の残りの第２のタイプの不連続受信サイクルの上記数が閾値未満である場合に、ページングメッセージが受信されるものと予期されないと判定し得る。また別の例として、判定モジュール１２１０は、上記ページングウィンドウ内の残りの第２のタイプの不連続受信サイクルの上記数が閾値未満である場合に、トランスポートフォーマット閾値よりもロバストなトランスポートフォーマットを用いてページングメッセージが受信されるものと予期されると判定し得る。
【０１３０】
判定モジュール１２１０は、図９に関連して上述した処理回路９２０といった１つ以上のプロセッサを含んでもよく、そうしたプロセッサに含まれてもよい。判定モジュール１２１０は、上述した判定モジュール１２１０及び／又は処理回路９２０の機能のいずれかを実行するように構成されるアナログ回路及び／又はデジタル回路を含んでもよい。上述した判定モジュール１２１０の機能が、ある実施形態では１つ以上の別個のモジュールにおいて実行されてもよい。
【０１３１】
通信モジュール１２２０は、ワイヤレスデバイス１１０の送信機能を実行し得る。通信モジュール１２２０は、図９に関連して上述した送受信機９１０といった、送信機及び／又は送受信機を含んでもよい。通信モジュール１２２０は、メッセージ及び／又は信号をワイヤレスに送信するように構成される回路を含んでもよい。具体的な実施形態において、通信モジュール１２２０は、送信のためのメッセージ及び／又は信号を判定モジュール１２１０から受け付けてもよい。ある実施形態では、上述した通信モジュール１２２０の機能が１つ以上の別個のモジュールにおいて実行されてもよい。
【０１３２】
受信モジュール１２３０は、ワイヤレスデバイス１１０の受信機能を実行し得る。例えば、受信モジュール１２３０は、第１のセルにおいて構成される第１のタイプの不連続受信サイクル内のページング送信ウィンドウの長さを取得し得る。他の例として、受信モジュール１２３０は、第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得し得る。第２のタイプの不連続受信サイクルは、第１のタイプの上記不連続受信サイクルよりも短い。また別の例として、受信モジュール１２３０は、ページングメッセージを受信してもよい。また別の例として、受信モジュール１２３０は、上記ページング送信ウィンドウの外側で少なくとも１つのページングメッセージを受信してもよい。
【０１３３】
受信モジュール１２３０は、受信機及び／又は送受信機を含んでもよい。受信モジュール１２３０は、図９に関連して上述した送受信機９１０といった、受信機及び／又は送受信機を含んでもよい。受信モジュール１２３０は、メッセージ及び／又は信号をワイヤレスに受信するように構成される回路を含んでもよい。具体的な実施形態において、受信モジュール１２３０は、受信されるメッセージ及び／又は信号を判定モジュール１２１０へ通信してもよい。ある実施形態では、上述した受信モジュール１２３０の機能が１つ以上の別個のモジュールにおいて実行されてもよい。
【０１３４】
入力モジュール１２４０は、ワイヤレスデバイス１１０向けに意図されるユーザ入力を受け付け得る。例えば、入力モジュールは、キーの押下、ボタンの押下、タッチ、スワイプ、音声入力、映像信号及び／又は何らかの他の適切な信号を受け付けてよい。入力モジュールは、１つ以上のキー、ボタン、レバー、スイッチ、タッチスクリーン、マイクロフォン及び／又はカメラを含んでもよい。入力モジュールは、受け付けた信号を判定モジュール１２１０へ通信してもよい。ある実施形態では、上述した入力モジュール１２４０の機能が１つ以上の別個のモジュールにおいて実行されてもよい。
【０１３５】
表示モジュール１２５０は、ワイヤレスデバイス１１０のディスプレイ上に信号を提示し得る。表示モジュール１２５０は、そのディスプレイ、並びに／又はディスプレイ上に信号を提示するように構成される任意の適切な回路及びハードウェアを含んでもよい。表示モジュール１２５０は、判定モジュール１２１０からディスプレイ上に提示すべき信号を受け付けてもよい。ある実施形態では、上述したディスプレイモジュール１２５０の機能が１つ以上の別個のモジュールにおいて実行されてもよい。
【０１３６】
判定モジュール１２１０、通信モジュール１２２０、受信モジュール１２３０、入力モジュール１２４０及び表示モジュール１２５０は、ハードウェア及び／又はソフトウェアのいかなる適切な構成を含んでもよい。ワイヤレスデバイス１１０は、任意の適した機能性を提供することを担当し得る、図１２に示したもの以外の追加的なコンポーネントを含んでもよく、それらは、上述した機能性のいずれか及び／又は何らかの追加的な機能性を含む（ここで説明した多様な解決策をサポートするために必要な何らかの機能性を含む）。
【０１３７】
図１３は、ある実施形態に係る例示的なネットワークノード１１５の概略ブロック図である。ネットワークノード１１５は、１つ以上のモジュールを含み得る。例えば、ネットワークノード１１５は、判定モジュール１３１０、通信モジュール１３２０、受信モジュール１３３０及び何らかの他の適したモジュール群を含み得る。いくつかの実施形態において、判定モジュール１３１０、通信モジュール１３２０、受信モジュール１３３０又は何らかの他の適したモジュール群のうちの１つ以上は、図１０に関連して上述した処理回路１０２０といった１つ以上のプロセッサを用いて実装されてもよい。ある実施形態において、多様なモジュールのうちの２つ以上の機能が単一のモジュールへ組み合わせられてもよい。ネットワークノード１１５は、図１〜図８に関して上述したＵＥ  ｅＤＲＸ下での信頼性のあるページング送信のための方法を実行し得る。
【０１３８】
判定モジュール１３１０は、ネットワークノード１１５の処理機能を実行し得る。一例として、判定モジュール１３１０は、第１のセルにおいて構成される第１のタイプの不連続受信サイクル内のページング送信ウィンドウの長さを取得し得る。他の例として、判定モジュール１３１０は、第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得し得る。第２のタイプの不連続受信サイクルは、第１のタイプの不連続受信サイクルよりも短い。また別の例として、判定モジュール１３１０は、第１のセルにおける上記リファレンス時間を基準として上記ページング送信ウィンドウ内の残りの第２のタイプの不連続受信サイクルの上記数、及び、上記リファレンス時間からスタートする上記ページング送信ウィンドウ内の残りの上記時間量、のうちの取得される上記少なくとも一方に基づいて、第１のセルにおいてページングメッセージを送信することができるかを判定し得る。また別の例として、判定モジュール１３１０は、上記ページング送信ウィンドウ内の残りの第２のタイプの不連続受信サイクルの上記数が閾値以上であること、及び／又は、上記リファレンス時間からスタートする上記ページング送信ウィンドウ内の残りの上記時間量が時間閾値以上であることを判定し得る。他の例として、判定モジュール１３１０は、上記ページング送信ウィンドウ内の残りの第２のタイプの不連続受信サイクルの上記数が閾値未満であることを判定し得る。他の例として、判定モジュール１３１０は、第１のセルにおいて上記ページングメッセージを送信することができないという判定に応じて、上記ページング送信ウィンドウ、第１のタイプの不連続受信サイクル、及び、第２のタイプの不連続受信サイクル、のうちの１つ以上を適応させてもよい。
【０１３９】
判定モジュール１３１０は、図１０に関連して上述した処理回路１０２０といった１つ以上のプロセッサを含んでもよく、そうしたプロセッサに含まれてもよい。判定モジュール１３１０は、上述した判定モジュール１３１０及び／又は処理回路１０２０の機能のいずれかを実行するように構成されるアナログ回路及び／又はデジタル回路を含んでもよい。判定モジュール１３１０の機能が、ある実施形態では１つ以上の別個のモジュールにおいて実行されてもよい。
【０１４０】
通信モジュール１３２０は、ネットワークノード１１５の送信機能を実行し得る。１つの例として、通信モジュール１３２０は、上記判定の結果を少なくとも１つの他のノード（例えば、他のネットワークノード又はワイヤレスデバイス）へ指し示してもよい。他の例として、通信モジュール１３２０は、上記ページング送信ウィンドウ内の残りの第２のタイプの不連続受信サイクルの上記数が閾値以上であること、及び、上記リファレンス時間からスタートする上記ページング送信ウィンドウ内の残りの上記時間量が時間閾値以上であること、のうちの少なくとも一方の（判定モジュール１３１０による）判定に応じて、第１のセルにおいて上記ページングメッセージを送信してもよい。また別の例として、通信モジュール１３２０は、送信される上記ページングメッセージの１つ以上の冗長的なコピーを送信してもよい。また別の例として、通信モジュール１３２０は、後続のページング送信ウィンドウまで上記ページングメッセージの送信を延期することと、上記ページング送信ウィンドウにおいて、トランスポートフォーマット閾値よりもロバストなトランスポートフォーマットで上記ページングメッセージを送信することと、上記ページング送信ウィンドウにおいて、送信電力閾値を上回る送信電力で上記ページングメッセージを送信することと、のうちの１つを実行してもよい。他の例として、通信モジュール１３２０は、上記ページング送信ウィンドウの外側で少なくとも１つのページングメッセージを送信してもよい。他の例として、通信モジュール１３２０は、上記適応の結果としての上記ページングメッセージについての構成を少なくとも１つの他のノードへ指し示してもよい。
【０１４１】
通信モジュール１３２０は、ワイヤレスデバイス１１０の１つ以上へメッセージを送信し得る。通信モジュール１３２０は、図１０に関連して上述した送受信機１０１０といった、送信機及び／又は送受信機を含んでもよい。通信モジュール１３２０は、メッセージ及び／又は信号をワイヤレスに送信するように構成される回路を含んでもよい。具体的な実施形態において、通信モジュール１３２０は、送信のためのメッセージ及び／又は信号を判定モジュール１３１０から受け付けてもよい。ある実施形態では、通信モジュール１３２０の機能が１つ以上の別個のモジュールにおいて実行されてもよい。
【０１４２】
受信モジュール１３３０は、ネットワークノード１１５の受信機能を実行し得る。１つの例として、受信モジュール１３３０は、第１のセルにおいて構成される第１のタイプの不連続受信サイクル内のページング送信ウィンドウの長さを取得してもよい。他の例として、受信モジュール１３３０は、第１のセルにおけるリファレンス時間を基準として上記ページング送信ウィンドウ内の残りの第２のタイプの不連続受信サイクルの数、及び、上記リファレンス時間からスタートする上記ページング送信ウィンドウ内の残りの時間量、のうちの少なくとも一方を取得してもよい。第２のタイプの不連続受信サイクルは、第１のタイプの不連続受信サイクルよりも短い。
【０１４３】
受信モジュール１３３０は、ワイヤレスデバイスからいかなる適した情報を受信してもよい。受信モジュール１３３０は、図１０に関連して上述した送受信機１０１０といった、受信機及び／又は送受信機を含んでもよい。受信モジュール１３３０は、メッセージ及び／又は信号をワイヤレスに受信するように構成される回路を含んでもよい。具体的な実施形態において、受信モジュール１３３０は、受信されるメッセージ及び／又は信号を判定モジュール１３１０又な任意の他の適したモジュールへ通信してもよい。ある実施形態では、受信モジュール１３３０の機能が１つ以上の別個のモジュールにおいて実行されてもよい。
【０１４４】
判定モジュール１３１０、通信モジュール１３２０及び受信モジュール１３３０は、ハードウェア及び／又はソフトウェアのいかなる適切な構成を含んでもよい。ネットワークノード１１５は、任意の適した機能性を提供することを担当し得る、図１３に示したもの以外の追加的なコンポーネントを含んでもよく、それらは、上述した機能性のいずれか及び／又は何らかの追加的な機能性を含む（ここで説明した多様な解決策をサポートするために必要な何らかの機能性を含む）。
【０１４５】
本開示のスコープから逸脱することなく、ここで説明したシステム及び装置に対して修正、追加又は省略がなされてよい。システム及び装置のコンポーネントは、統合されてもよく又は分離されてもよい。そのうえ、システム及び装置の動作は、より多くの、より少ない、又は他のコンポーネントにより実行されてもよい。追加的に、システム及び装置の動作は、ソフトウェア、ハードウェア及び／又は他のロジックを含む任意の適したロジックを用いて実行されてよい。本文書で使用されるところによれば、“各々”は、集合の各要素、又は集合のサブセットの各要素への言及である。
【０１４６】
本開示のスコープから逸脱することなく、ここで説明した方法に対して修正、追加又は省略がなされてよい。方法は、より多くの、より少ない、又は他のステップを含んでもよい。追加的に、複数のステップはいかなる適した順序で実行されてもよい。
【０１４７】
本開示はある実施形態の観点で説明されているものの、当業者にとっては、それら実施形態の変形及び置換が明白であろう。従って、実施形態の上の説明は、本開示を制約しない。次の特許請求の範囲により定義されるように、本開示の思想及びスコープから逸脱することなく、他の変更、代入及び変形が可能である。
【０１４８】
ここまでの説明において使用した略語は以下を含む：
３ＧＰＰ          Third  Generation  Partnership  Project
ＡＣＫ            Acknowledgement
ＡＰ              Access  Point
ＢＳ              Base  Station
ＢＳＣ            Base  Station  Controller
ＢＴＳ            Base  Transceiver  Station
ＣＡ              Carrier  Aggregation
ＣＤＭ            Code  Division  Multiplexing
ＣＰＥ            Customer  Premises  Equipment
ＣＱＩ            Channel  Quality  Indicator
ＣＳＩ−ＲＳＲＰ  Reference  symbol  received  power  using  CSI  reference  symbols
Ｄ２Ｄ            Device−to−device
ＤＡＳ            Distributed  Antenna  System
ＤＬ              Downlink
ＤＲＳ            Discovery  Signal
ＤＲＸ            Discontinuous  Reception
ｅＤＲＸ          Extended  Discontinuous  Reception
ｅＮＢ            Evolved  Node  B
ＥＰＤＣＣＨ      Enhanced  Physical  Downlink  Control  Channel
Ｅ−ＵＴＲＡＮ    Evolved  UMTS  Terrestrial  Radio  Access  Network
ＦＤＤ            Frequency  Division  Duplex
ＨＡＲＱ          Hybrid  Automatic  Repeat  Request
Ｈ−ＳＦＮ        Hyper  System  Frame  Number
ＨＳＰＡ          High  Speed  Packet  Access
ＩＤＣ            In−Device  Coexistence
ＬＡＡ            License  assisted  access
ＬＡＮ            Local  Area  Network
ＬＢＴ            Listen  before  talk
ＬＥＥ            Laptop  Embedded  Equipment
ＬＭＥ            Laptop  Mounted  Equipment
ＬＴＥ            Long  Term  Evolution
Ｍ２Ｍ            Machine−to−Machine
ＭＡＣ            Medium  Access  Control
ＭＡＮ            Metropolitan  Area  Network
ＭＣＥ            Multi−cell/multicast  Coordination  Entity
ＭＭＥ            Mobility  Management  Entity
ＭＳＲ            Multi−standard  Radio
ＮＡＫ            Negative  Acknowledgement
ＮＡＳ            Non−Access  Stratum
ＰＢＣＨ          Physical  Broadcast  Channel
ＰＣＣ            Primary  Component  Carrier
ＰＣｅｌｌ        Primary  Cell
ＰＤＣＣＨ        Physical  Downlink  Control  Channel
ＰＤＳＣＨ        Physical  Downlink  Shared  Channel
ＰＦ              Paging  Frame
ＰＨ              Paging  Hyper−System  Frame  Number
ＰＯ              Paging  Occasion
ＰＳＣ            Primary  Serving  Cell
ＰＳＴＮ          Public  Switched  Telephone  Network
ＰＴＷ            Paging  Transmission  Window
ＰＵＳＣＨ        Physical  Uplink  Shared  Channel
ＰＵＣＣＨ        Physical  Uplink  Control  Channel
ＲＡＴ            Radio  Access  Technology
ＲＢ              Resource  Block
ＲＮＣ            Radio  Network  Controller
ＲＲＣ            Radio  Resource  Control
ＲＲＨ            Remote  Radio  Head
ＲＲＵ            Remote  Radio  Unit
ＲＳＲＰ          Reference  symbol  received  power
ＲＳＲＱ          Reference  symbol  received  quality
ＲＴＴ            Round  Trip  Time
ＳＩ              System  Information
ＳＩＢ            System  Information  Block
ＳＦＮ            System  Frame  Number
ＳＣＣ            Secondary  Component  Carrier
ＳＣｅｌｌ        Secondary  CEll
ＳＳＣ            Secondary  Serving  Cell
ＴＤＤ            Time  Division  Duplex
ＵＥ              User  Equipment
ＵＬ              Uplink
ＵＴＲＡ          UMTS  Terrestrial  Radio  Access
ＷＡＮ            Wide  Area  Network
ＬＴＥ            Long−Term  Evolution
【図１】
2019507975.tif 000003
【図２】
2019507975.tif 000004
【図３】
2019507975.tif 000005
【図４】
2019507975.tif 000006
【図５】
2019507975.tif 000007
【図６】
2019507975.tif 000008
【図７】
2019507975.tif 000009
【図８】
2019507975.tif 000010
【図９】
2019507975.tif 000011
【図１０】
2019507975.tif 000012
【図１１】
2019507975.tif 000013
【図１２】
2019507975.tif 000014
【図１３】
2019507975.tif 000015
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
ネットワークノード（１１５）における方法であって、
第１のセルにおいて構成される第１のタイプ（５０５）の不連続受信サイクル内のページング送信ウィンドウ（５１５）の長さを取得すること（７０４）と、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得すること（７０８）と、前記第２のタイプの不連続受信サイクルは前記第１のタイプの前記不連続受信サイクルよりも短いことと、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージを送信することができるかを判定すること（７１２）と、
前記ページング送信ウィンドウ内の残りの前記第２のタイプの不連続受信サイクルの前記数が閾値以上であると判定することに応じて、前記第１のセルにおいて前記ページングメッセージを送信することと、前記閾値は、２以上であることと、
を含む方法。
【請求項２】
前記第１のタイプの不連続受信は、拡張された不連続受信であり、
前記第２のタイプの不連続受信は、レガシーの不連続受信である、
請求項１の方法。
【請求項３】
前記判定の結果を少なくとも１つの他のノードへ指し示すこと、
を含む、請求項１の方法。
【請求項４】
さらに、
前記リファレンス時間からスタートする前記ページング送信ウィンドウ内の残りの前記時間量が時間閾値以上であると判定することに応じて、前記第１のセルにおいて前記ページングメッセージを送信すること、
を含む、請求項１の方法。
【請求項５】
送信される前記ページングメッセージの１つ以上の冗長的なコピーを送信すること、
を含む、請求項１又は請求項４の方法。
【請求項６】
前記ページング送信ウィンドウ内の残りの前記第２のタイプの不連続受信サイクルの前記数が閾値未満であるとの判定に応じて、
前記ページング送信ウィンドウにおいて前記ページングメッセージを送信しないことと、
後続のページング送信ウィンドウまで前記ページングメッセージの送信を延期することと、
前記ページング送信ウィンドウにおいて、トランスポートフォーマット閾値よりもロバストなトランスポートフォーマットで前記ページングメッセージを送信することと、
前記ページング送信ウィンドウにおいて、送信電力閾値を上回る送信電力で前記ページングメッセージを送信することと、
のうちの１つを実行すること、を含む、請求項１の方法。
【請求項７】
前記ページング送信ウィンドウの外側で少なくとも１つのページングメッセージを送信すること、を含む、請求項１の方法。
【請求項８】
前記第１のセルにおいて前記ページングメッセージを送信することができないという判定に応じて、
前記ページング送信ウィンドウ、
前記第１のタイプの前記不連続受信サイクル、及び、
前記第２のタイプの前記不連続受信サイクル、
のうちの１つ以上を適応させること、を含む、請求項１の方法。
【請求項９】
前記適応の結果としての前記ページングメッセージについての構成を少なくとも１つの他のノードへ指し示すこと、
を含む、請求項８の方法。
【請求項１０】
ワイヤレスデバイス（１１０）における方法であって、
第１のセルにおいて構成される第１のタイプ（５０５）の不連続受信サイクル内のページング送信ウィンドウ（５１５）の長さを取得すること（８０４）と、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得すること（８０８）と、前記第２のタイプの不連続受信サイクルは前記第１のタイプの前記不連続受信サイクルよりも短いことと、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージが受信されるものと予期されるかを判定すること（８１２）と、
前記ページング送信ウィンドウ内の残りの前記第２のタイプの不連続受信サイクルの前記数が閾値以上である場合に、前記第１のセルにおいて前記ページングメッセージが受信されるものと予期されると判定することと、前記閾値は、２以上であることと、
を含む方法。
【請求項１１】
前記第１のタイプの不連続受信は、拡張された不連続受信であり、
前記第２のタイプの不連続受信は、レガシーの不連続受信である、
請求項１０の方法。
【請求項１２】
前記ページング送信ウィンドウの外側で少なくとも１つのページングメッセージを受信すること、
を含む、請求項１０の方法。
【請求項１３】
前記第１のセルにおいて前記ページングメッセージが受信されるものと予期されるという判定に応じて、１つ以上の受信機特性を調整して前記ページングメッセージの受信を促進すること、
を含む、請求項１０の方法。
【請求項１４】
前記ページング送信ウィンドウの期間中に受信されるものと予期される冗長的なページングメッセージの数を判定すること、
を含む、請求項１３の方法。
【請求項１５】
前記ページングメッセージを受信することと、
受信される前記ページングメッセージを１つ以上の後続して受信される冗長的なページングメッセージとの合成のために記憶することと、
を含む、請求項１３の方法。
【請求項１６】
前記リファレンス時間からスタートする前記ページング送信ウィンドウ内の残りの前記時間量が時間閾値以上である場合に、前記第１のセルにおいて前記ページングメッセージが受信されるものと予期されると判定すること、
を含む、請求項１０の方法。
【請求項１７】
前記ワイヤレスデバイスは、前記ページングメッセージと、前記ページング送信ウィンドウの終了よりも予め定義される時間ピリオド前、及び前記ページング送信ウィンドウの前記終了よりも前記第２のタイプの予め定義される不連続受信サイクル数前、のうちの少なくとも一方よりも前に送信される場合に、前記ページングメッセージの１つ以上の冗長的な送信とを受信することを要する、請求項１６の方法。
【請求項１８】
前記ページング送信ウィンドウ内の残りの前記第２のタイプの不連続受信サイクルの前記数が閾値未満である場合に、ページングメッセージが受信されるものと予期されないと判定すること、
を含む、請求項１０の方法。
【請求項１９】
前記ページング送信ウィンドウ内の残りの前記第２のタイプの不連続受信サイクルの前記数が閾値未満である場合に、トランスポートフォーマット閾値よりもロバストなトランスポートフォーマットを用いてページングメッセージが受信されるものと予期されると判定すること、
を含む、請求項１０の方法。
【請求項２０】
処理回路（１４２０）を備えるネットワークノード（１１５）であって、
前記処理回路は、
第１のセルにおいて構成される第１のタイプ（５０５）の不連続受信サイクル内のページング送信ウィンドウ（５１５）の長さを取得（７０４）し、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得（７０８）し、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージを送信することができるかを判定する（７１２）、
ように構成され、前記第２のタイプの不連続受信サイクルは前記第１のタイプの前記不連続受信サイクルよりも短く、
前記処理回路は、
前記ページング送信ウィンドウ内の残りの前記第２のタイプの不連続受信サイクルの前記数が閾値以上であると判定することに応じて、前記第１のセルにおいて前記ページングメッセージを送信する、ように構成され、前記閾値は、２以上である、
ネットワークノード。
【請求項２１】
処理回路（９２０）を備えるワイヤレスデバイス（１１０）であって、
前記処理回路は、
第１のセルにおいて構成される第１のタイプ（５０５）の不連続受信サイクル内のページング送信ウィンドウ（５１５）の長さを取得（８０４）し、
前記第１のセルにおけるリファレンス時間を基準として前記ページング送信ウィンドウ内の残りの第２のタイプ（５２５）の不連続受信サイクルの数、及び、前記リファレンス時間からスタートする前記ページング送信ウィンドウ内の残りの時間量、のうちの少なくとも一方を取得（８０８）し、
前記第１のセルにおける前記リファレンス時間を基準として前記ページング送信ウィンドウ内の残りの前記第２のタイプの不連続受信サイクルの前記数、及び、前記リファレンス時間からスタートする前記ページング送信ウィンドウ内の残りの前記時間量、のうちの取得される前記少なくとも一方に基づいて、前記第１のセルにおいてページングメッセージが受信されるものと予期されるかを判定（８１２）する、
ように構成され、前記第２のタイプの不連続受信サイクルは前記第１のタイプの前記不連続受信サイクルよりも短く、
前記処理回路は、
前記ページング送信ウィンドウ内の残りの前記第２のタイプの不連続受信サイクルの前記数が閾値以上である場合に、前記第１のセルにおいて前記ページングメッセージが受信されるものと予期されると判定する、ように構成され、前記閾値は、２以上である、
ワイヤレスデバイス。
【手続補正２】
【補正対象書類名】明細書
【補正対象項目名】０００６
【補正方法】変更
【補正の内容】
【０００６】
ＤＲＸが構成される場合、ＵＥは、“継続中（on-duration）”タイマと共にさらに構成され得る。“継続中”タイマの期間中に、ＵＥは、あり得る割り当てを求めてＰＤＣＣＨをモニタリングする。ＤＲＸが構成される場合、周期的なチャネル品質インジケータ（ＣＱＩ）レポートは、“アクティブ時間”の期間中にのみＵＥにより送信され得る。無線リソース制御（ＲＲＣ）は、周期的なＣＱＩレポートを、それらが“継続中”の期間中にのみ送信されるようにさらに制限することができる。ｅＮｏｄｅＢは、ＤＲＸが構成される場合のスリープモードの期間中に、ＵＥへパケットを送信しない。
【手続補正３】
【補正対象書類名】明細書
【補正対象項目名】００１４
【補正方法】変更
【補正の内容】
【００１４】
図２は、ＬＴＥにおけるＤＲＸモードの一例を示している。Ｘ軸上には時間２０５が示されており、ＵＥがアウェイク２１０かスリープ２１５かのピリオドがＹ軸上に反映されている。ＤＲＸは、ＤＲＸとして知られる非アクティビティ時間の手段によりトリガされる。図２から理解され得るように、ＵＥのアクティビティ時間は、継続中（ON  Duration）時間内にＰＤＣＣＨが受信される場合には延長され得る。図２の例では、ポイント２２０において、ＵＥはＰＤＣＣＨを成功裏に復号し、非アクティビティタイマ２２５をスタートさせる（図２では非アクティビティタイマ２２５ａとして示されている）。続いて、ポイント２３０において、ＵＥは他のＰＤＣＣＨを成功裏に復号し、非アクティビティタイマ２２５をリセットする（図２では非アクティビティタイマ２２５ｂとして示されている）。非アクティビティタイマ２２５ｂはポイント２３５において満了し、その時にＤＲＸサイクル２４０がスタートする。図２に示したように、ＤＲＸサイクル２４０は、ＵＥが起きている時間ピリオドとそれに続くスリープのピリオドからなる。
【手続補正４】
【補正対象書類名】明細書
【補正対象項目名】００８１
【補正方法】変更
【補正の内容】
【００８１】
第１０の例として、少なくともＮ０＜Ｎｔである場合に、ネットワークノード１１５は、十分にロバストなあるトランスポートフォーマット（ＴＦ）でメッセージを符号化することにより、現行のＰＴＷにおいてページングメッセージを送信してもよい。例えば、トランスポートブロック又はデータブロックは、閾値（例えば、１６ＱＡＭ）を下回る変調次数（例えば、ＱＰＳＫ）を伴うトランスポートフォーマットで、及び／又は閾値を下回る（例えば、１／２を下回る）符号化レートで送信されてもよい。ロバストなＴＦは、ＵＥ１１０が１回又はより少ない回数の送信試行でページングメッセージを受信できることを保証する。
【国際調査報告】
2019507975.tif 000016
2019507975.tif 000017